(57)【要約】  通信システムにおける制御チャネルの送受信方法および装置が開示される。基地局によって実行される制御情報の伝送方法は、複数のＲＥＧを含む制御資源集合を設定する段階、前記制御資源集合に属した複数のＲＥＧを周波数軸でインターリービングする段階、インターリービングされた少なくとも二つのＲＥＧを含むＲＥＧプールを設定する段階、前記ＲＥＧプール内で少なくとも一つのＣＣＥを設定する段階、および前記少なくとも一つのＣＣＥで構成される探索空間を介して制御情報を伝送する段階を含む。したがって、通信システムの性能が向上し得る。
2019530997.tif 000002
【特許請求の範囲】
【請求項１】
基地局によって実行される制御情報の伝送方法であって、
複数のＲＥＧ（ｒｅｓｏｕｒｃｅ  ｅｌｅｍｅｎｔ  ｇｒｏｕｐ）を含む制御資源集合を設定する段階；
前記制御資源集合に属した複数のＲＥＧを周波数軸でインターリービング（ｉｎｔｅｒｌｅａｖｉｎｇ）する段階；
インターリービングされた少なくとも二つのＲＥＧを含むＲＥＧプール（ｐｏｏｌ）を設定する段階；
前記ＲＥＧプール内で少なくとも一つのＣＣＥ（ｃｏｎｔｒｏｌ  ｃｈａｎｎｅｌ  ｅｌｅｍｅｎｔ）を設定する段階；および
前記少なくとも一つのＣＣＥで構成される探索空間を通じて制御情報を伝送する段階を含む、
制御情報の伝送方法。
【請求項２】
前記複数のＲＥＧのそれぞれは１２個のサブキャリア（ｓｕｂｃａｒｒｉｅｒｓ）と１個のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルで構成される、
請求項１に記載の制御情報の伝送方法。
【請求項３】
前記制御資源集合が設定された時間−周波数資源の情報はシグナリング手続きを通じて端末に伝送される、
請求項１に記載の制御情報の伝送方法。
【請求項４】
前記制御資源集合は基本制御資源集合または追加制御資源集合であり、前記基本制御資源集合は初期接続の手続きのために必要な制御情報の伝送のために使用され、前記追加制御資源集合はＲＲＣ（ｒａｄｉｏ  ｒｅｓｏｕｒｃｅ  ｃｏｎｔｒｏｌ）＿連結状態の端末のために必要な制御情報の伝送のために使用される、
請求項１に記載の制御情報の伝送方法。
【請求項５】
前記基本制御資源集合は最小のシステム帯域幅内で設定され、前記追加制御資源集合は全体のシステム帯域幅内で設定される、
請求項４に記載の制御情報の伝送方法。
【請求項６】
前記ＲＥＧプールに属した前記インターリービングされた少なくとも二つのＲＥＧのそれぞれのインデックス（ｉｎｄｅｘ）は、前記ＲＥＧプール内で唯一のグローバル（ｇｌｏｂａｌ）インデックスに変換される、
請求項１に記載の制御情報の伝送方法。
【請求項７】
前記ＣＣＥは連続したグローバルインデックスを有するＲＥＧを含む、
請求項６に記載の制御情報の伝送方法。
【請求項８】
前記探索空間は共通探索空間および端末−特定の探索空間に分類され、前記共通探索空間は前記基地局のカバレッジに属するすべての端末のために使用され、前記端末−特定の探索空間は前記基地局のカバレッジに属する端末のうち特定の端末のために使用される、
請求項１に記載の制御情報の伝送方法。
【請求項９】
前記ＲＥＧプール内で二つのＣＣＥが設定された場合、前記二つのＣＣＥのうち一つのＣＣＥは前記共通探索空間として使用され、残りのＣＣＥは前記端末−特定の探索空間として使用される、
請求項８に記載の制御情報の伝送方法。
【請求項１０】
前記制御資源集合内に共通ＤＣＩ（ｄｏｗｎｌｉｎｋ  ｃｏｎｔｒｏｌ  ｉｎｆｏｒｍａｔｉｏｎ）の伝送のために使用されるＰＤＣＣＣＨ（ｐｈｙｓｉｃａｌ  ｄｏｗｎｌｉｎｋ  ｃｏｍｍｏｎ  ｃｏｎｔｒｏｌ  ｃｈａｎｎｅｌ）が設定され、前記ＰＤＣＣＣＨは前記探索空間と重ならないように設定される、
請求項１に記載の制御情報の伝送方法。
【請求項１１】
前記制御資源集合内にあらかじめ設定された領域はデータチャネルとして使用され、前記データチャネルのスケジューリング情報は前記探索空間を介して伝送される、
請求項１に記載の制御情報の伝送方法。
【請求項１２】
端末によって実行される制御情報の受信方法であって、
基地局から複数のＲＥＧ（ｒｅｓｏｕｒｃｅ  ｅｌｅｍｅｎｔ  ｇｒｏｕｐ）を含む制御資源集合の設定情報を受信する段階；
前記設定情報に基づいて前記制御資源集合内の探索空間を確認する段階；および
前記探索空間でモニタリングを遂行することによって前記基地局から制御情報を受信する段階を含み、
前記制御資源集合に属した複数のＲＥＧは周波数軸でインターリービング（ｉｎｔｅｒｌｅａｖｉｎｇ）され、ＲＥＧプール（ｐｏｏｌ）はインターリービングされた少なくとも二つのＲＥＧを含み、前記探索空間は前記ＲＥＧプール内で設定された少なくとも一つのＣＣＥ（ｃｏｎｔｒｏｌ  ｃｈａｎｎｅｌ  ｅｌｅｍｅｎｔ）を含む、
制御情報の受信方法。
【請求項１３】
前記制御資源集合は基本制御資源集合または追加制御資源集合であり、前記基本制御資源集合は初期接続の手続きのために必要な制御情報の伝送のために使用され、前記追加制御資源集合はＲＲＣ（ｒａｄｉｏ  ｒｅｓｏｕｒｃｅ  ｃｏｎｔｒｏｌ）＿連結状態の前記端末のために必要な制御情報の伝送のために使用される、
請求項１２に記載の制御情報の受信方法。
【請求項１４】
前記探索空間は共通探索空間および端末−特定の探索空間に分類され、前記共通探索空間は前記基地局のカバレッジに属するすべての端末のために使用され、前記端末−特定の探索空間は前記基地局のカバレッジに属する端末のうち特定の端末のために使用される、
請求項１２に記載の制御情報の受信方法。
【請求項１５】
前記制御資源集合内に共通ＤＣＩ（ｄｏｗｎｌｉｎｋ  ｃｏｎｔｒｏｌ  ｉｎｆｏｒｍａｔｉｏｎ）の伝送のために使用されるＰＤＣＣＣＨ（ｐｈｙｓｉｃａｌ  ｄｏｗｎｌｉｎｋ  ｃｏｍｍｏｎ  ｃｏｎｔｒｏｌ  ｃｈａｎｎｅｌ）が設定され、前記ＰＤＣＣＣＨは前記探索空間と重ならないように設定される、
請求項１２に記載の制御情報の受信方法。
【請求項１６】
前記制御資源集合内にあらかじめ設定された領域はデータチャネルとして使用され、前記データチャネルのスケジューリング情報は前記探索空間を介して受信される、
請求項１２に記載の制御情報の受信方法。
【請求項１７】
制御情報の伝送する基地局であって、
プロセッサ（ｐｒｏｃｅｓｓｏｒ）；および
前記プロセッサによって遂行される少なくとも一つの命令が保存されたメモリ（ｍｅｍｏｒｙ）を含み、
前記少なくとも一つの命令は、
複数のＲＥＧ（ｒｅｓｏｕｒｃｅ  ｅｌｅｍｅｎｔ  ｇｒｏｕｐ）を含む制御資源集合を設定し；
前記制御資源集合に属した複数のＲＥＧを周波数軸でインターリービング（ｉｎｔｅｒｌｅａｖｉｎｇ）し；
インターリービングされた少なくとも二つのＲＥＧを含むＲＥＧプール（ｐｏｏｌ）を設定し；
前記ＲＥＧプール内で少なくとも一つのＣＣＥ（ｃｏｎｔｒｏｌ  ｃｈａｎｎｅｌ  ｅｌｅｍｅｎｔ）を設定し；そして
前記少なくとも一つのＣＣＥで構成される探索空間を通じて制御情報を伝送するように実行される、
基地局。
【請求項１８】
前記制御資源集合は基本制御資源集合または追加制御資源集合であり、前記基本制御資源集合は初期接続の手続きのために必要な制御情報の伝送のために使用され、前記追加制御資源集合はＲＲＣ（ｒａｄｉｏ  ｒｅｓｏｕｒｃｅ  ｃｏｎｔｒｏｌ）＿連結状態の端末のために必要な制御情報の伝送のために使用される、
請求項１７に記載の基地局。
【請求項１９】
前記ＲＥＧプールに属した前記インターリービングされた少なくとも二つのＲＥＧのそれぞれのインデックス（ｉｎｄｅｘ）は、前記ＲＥＧプール内で唯一のグローバル（ｇｌｏｂａｌ）インデックスに変換される、
請求項１７に記載の基地局。
【請求項２０】
前記制御資源集合内に共通ＤＣＩ（ｄｏｗｎｌｉｎｋ  ｃｏｎｔｒｏｌ  ｉｎｆｏｒｍａｔｉｏｎ）の伝送のために使用されるＰＤＣＣＣＨ（ｐｈｙｓｉｃａｌ  ｄｏｗｎｌｉｎｋ  ｃｏｍｍｏｎ  ｃｏｎｔｒｏｌ  ｃｈａｎｎｅｌ）が設定され、前記ＰＤＣＣＣＨは前記探索空間と重ならないように設定される、
請求項１７に記載の基地局。
【発明の詳細な説明】
【技術分野】
【０００１】
本発明は通信システムにおける制御チャネルの送受信技術に関するもので、さらに詳細には、ダウンリンク制御チャネルの設定および送受信技術に関するものである。
【背景技術】
【０００２】
急増する無線データの処理のために、ＬＴＥ（ｌｏｎｇ  ｔｅｒｍ  ｅｖｏｌｕｔｉｏｎ）通信システム（またはＬＴＥ−Ａ通信システム）の周波数帯域（例えば、６ＧＨｚ以下の周波数帯域）より高い周波数帯域（例えば、６ＧＨｚ以上の周波数帯域）を使用する通信システム（例えば、ＮＲ（ｎｅｗ  ｒａｄｉｏ））が考慮されている。ＮＲは６ＧＨｚ以上の周波数帯域だけでなく６ＧＨｚ以下の周波数帯域を支援することができ、ＬＴＥに比べて多様な通信サービスおよびシナリオを支援することができる。また、ＮＲの要求事項はｅＭＢＢ（ｅｎｈａｎｃｅｄ  Ｍｏｂｉｌｅ  ＢｒｏａｄＢａｎｄ）、ＵＲＬＬＣ（Ｕｌｔｒａ  Ｒｅｌｉａｂｌｅ  Ｌｏｗ  Ｌａｔｅｎｃｙ  Ｃｏｍｍｕｎｉｃａｔｉｏｎ）、ｍＭＴＣ（ｍａｓｓｉｖｅ  Ｍａｃｈｉｎｅ  Ｔｙｐｅ  Ｃｏｍｍｕｎｉｃａｔｉｏｎ）等を含むことができる。
【０００３】
一方、ＮＲのように広い周波数帯域と広範囲なサービスを支援する通信システムのための新しい伝送方式が要求されており、特に無線リンク品質（ｒａｄｉｏ  ｌｉｎｋ  ｑｕａｌｉｔｙ）の安定した維持のためのダウンリンク制御チャネルの設定方法、ダウンリンク制御チャネルの送受信方法などが必要であろう。
【発明の概要】
【発明が解決しようとする課題】
【０００４】
前記のような問題点を解決するための本発明の目的は、通信システムでダウンリンク制御チャネルの送受信方法および装置を提供するところにある。
【課題を解決するための手段】
【０００５】
前記目的を達成するための本発明の第１実施例に係る基地局によって実行される制御情報の伝送方法は、複数のＲＥＧを含む制御資源集合を設定する段階、前記制御資源集合に属した複数のＲＥＧを周波数軸でインターリービングする段階、インターリービングされた少なくとも二つのＲＥＧを含むＲＥＧプールを設定する段階、前記ＲＥＧプール内で少なくとも一つのＣＣＥを設定する段階、および前記少なくとも一つのＣＣＥで構成される探索空間を介して制御情報を伝送する段階を含む。
【０００６】
ここで、前記複数のＲＥＧのそれぞれは１２個のサブキャリアと１個のＯＦＤＭシンボルで構成され得る。
【０００７】
ここで、前記制御資源集合が設定された時間−周波数資源の情報はシグナリング手続きを通じて端末に伝送され得る。
【０００８】
ここで、前記制御資源集合は基本制御資源集合または追加制御資源集合であり得、前記基本制御資源集合は初期接続の手続きのために必要な制御情報の伝送のために使用され得、前記追加制御資源集合はＲＲＣ＿連結状態の端末のために必要な制御情報の伝送のために使用され得る。
【０００９】
ここで、前記基本制御資源集合は最小のシステム帯域幅内で設定され得、前記追加制御資源集合は全体のシステム帯域幅内で設定され得る。
【００１０】
ここで、前記ＲＥＧプールに属した前記インターリービングされた少なくとも二つのＲＥＧのそれぞれのインデックスは、前記ＲＥＧプール内で唯一のグローバルインデックスに変換され得る。
【００１１】
ここで、前記ＣＣＥは連続したグローバルインデックスを有するＲＥＧを含むことができる。
【００１２】
ここで、前記探索空間は共通探索空間および端末−特定の探索空間に分類され得、前記共通探索空間は前記基地局のカバレッジに属するすべての端末のために使用され得、前記端末−特定の探索空間は前記基地局のカバレッジに属する端末のうち特定の端末のために使用され得る。
【００１３】
ここで、前記ＲＥＧプール内で二つのＣＣＥが設定された場合、前記二つのＣＣＥのうち一つのＣＣＥは前記共通探索空間として使用され得、残りのＣＣＥは前記端末−特定の探索空間として使用され得る。
【００１４】
ここで、前記制御資源集合内に共通ＤＣＩの伝送のために使用されるＰＤＣＣＣＨが設定され得、前記ＰＤＣＣＣＨは前記探索空間と重ならないように設定され得る。
【００１５】
ここで、前記制御資源集合内にあらかじめ設定された領域はデータチャネルとして使用され得、前記データチャネルのスケジューリング情報は前記探索空間を介して伝送され得る。
【００１６】
前記目的を達成するための本発明の第２実施例に係る端末によって実行される制御情報の受信方法は、基地局から複数のＲＥＧを含む制御資源集合の設定情報を受信する段階、前記設定情報に基づいて前記制御資源集合内の探索空間を確認する段階、および前記探索空間でモニタリングを遂行することによって前記基地局から制御情報を受信する段階を含み、前記制御資源集合に属した複数のＲＥＧは周波数軸でインターリービングされ、ＲＥＧプールインターリービングされた少なくとも二つのＲＥＧを含み、前記探索空間は前記ＲＥＧプール内で設定された少なくとも一つのＣＣＥを含む。
【００１７】
ここで、前記制御資源集合は基本制御資源集合または追加制御資源集合であり得、前記基本制御資源集合は初期接続の手続きのために必要な制御情報の伝送のために使用され得、前記追加制御資源集合はＲＲＣ＿連結状態の前記端末のために必要な制御情報の伝送のために使用され得る。
【００１８】
ここで、前記探索空間は共通探索空間および端末−特定の探索空間に分類され得、前記共通探索空間は前記基地局のカバレッジに属するすべての端末のために使用され得、前記端末−特定の探索空間は前記基地局のカバレッジに属する端末のうち特定の端末のために使用され得る。
【００１９】
ここで、前記制御資源集合内に共通ＤＣＩの伝送のために使用されるＰＤＣＣＣＨが設定され得、前記ＰＤＣＣＣＨは前記探索空間と重ならないように設定され得る。
【００２０】
ここで、前記制御資源集合内にあらかじめ設定された領域はデータチャネルとして使用され得、前記データチャネルのスケジューリング情報は前記探索空間を通じて受信され得る。
【００２１】
前記目的を達成するための本発明の第３実施例に係る制御情報の伝送する基地局は、プロセッサおよび前記プロセッサによって遂行される少なくとも一つの命令が保存されたメモリを含み、前記少なくとも一つの命令は複数のＲＥＧを含む制御資源集合を設定し、前記制御資源集合に属した複数のＲＥＧを周波数軸でインターリービングし、インターリービングされた少なくとも二つのＲＥＧを含むＲＥＧプールを設定し、前記ＲＥＧプール内で少なくとも一つのＣＣＥを設定し、そして前記少なくとも一つのＣＣＥで構成される探索空間を通じて制御情報を伝送するように実行される。
【００２２】
ここで、前記制御資源集合は基本制御資源集合または追加制御資源集合であり得、前記基本制御資源集合は初期接続の手続きのために必要な制御情報の伝送のために使用され得、前記追加制御資源集合はＲＲＣ＿連結状態の端末のために必要な制御情報の伝送のために使用され得る。
【００２３】
ここで、前記ＲＥＧプールに属した前記インターリービングされた少なくとも二つのＲＥＧのそれぞれのインデックスは、前記ＲＥＧプール内で唯一のグローバルインデックスに変換され得る。
【００２４】
ここで、前記制御資源集合内に共通ＤＣＩの伝送のために使用されるＰＤＣＣＣＨが設定され得、前記ＰＤＣＣＣＨは前記探索空間と重ならないように設定され得る。
【発明の効果】
【００２５】
本発明によると、通信システムのためのダウンリンク制御チャネルは効率的に設定され得る。すなわち、本発明の実施例によりダウンリンク制御チャネルが設定される場合、資源の効率性が向上し得、ダウンリンク制御チャネルの伝送容量が増加し得、ダウンリンク制御チャネルの受信性能が向上し得る。したがって、通信システムの性能が向上し得る。
【図面の簡単な説明】
【００２６】
【図１】通信システムの第１実施例を図示した概念図
【図２】通信システムを構成する通信ノードの第１実施例を図示したブロック図
【図３】制御資源集合の第１実施例を図示した概念図
【図４ａ】制御資源集合内のＲＥＧプールの第１実施例を図示した概念図
【図４ｂ】制御資源集合内のＲＥＧプールの第２実施例を図示した概念図
【図４ｃ】制御資源集合内のＲＥＧプールの第３実施例を図示した概念図
【図４ｄ】制御資源集合内のＲＥＧプールの第４実施例を図示した概念図
【図４ｅ】制御資源集合内のＲＥＧプールの第５実施例を図示した概念図
【図５】ＣＣＥ−ＲＥＧマッピング方法の第１実施例を図示した概念図
【図６】ＲＥＧプール内で設定された探索空間の第１実施例を図示した概念図
【図７】ＲＥＧプール内で設定された探索空間の第２実施例を図示した概念図
【図８】ＲＥＧプール内で設定された探索空間の第３実施例を図示した概念図
【図９ａ】制御資源集合内の探索空間の第１実施例を図示した概念図
【図９ｂ】制御資源集合内の探索空間の第２実施例を図示した概念図
【図９ｃ】制御資源集合内の探索空間の第３実施例を図示した概念図
【図１０ａ】局部的ＣＣＥ−ＲＥＧマッピングによるＣＣＥの第１実施例を図示した概念図
【図１０ｂ】局部的ＣＣＥ−ＲＥＧマッピングによるＣＣＥの第２実施例を図示した概念図
【図１０ｃ】局部的ＣＣＥ−ＲＥＧマッピングによるＣＣＥの第３実施例を図示した概念図
【図１１ａ】探索空間とＰＤＣＣＣＨの設定方法の第１実施例を図示した概念図
【図１１ｂ】探索空間とＰＤＣＣＣＨの設定方法の第２実施例を図示した概念図
【図１１ｃ】探索空間とＰＤＣＣＣＨの設定方法の第３実施例を図示した概念図
【図１１ｄ】探索空間とＰＤＣＣＣＨの設定方法の第４実施例を図示した概念図
【図１２】データ領域と制御領域の設定方法の第１実施例を図示した概念図
【図１３ａ】制御領域内に設定されたギャップの第１実施例を図示した概念図
【図１３ｂ】制御領域内に設定されたギャップの第２実施例を図示した概念図
【図１４】データチャネルのスケジューリング方法の第１実施例を図示した概念図
【図１５】データチャネルのスケジューリング方法の第２実施例を図示した概念図
【図１６】データチャネルのスケジューリング方法の第３実施例を図示した概念図
【図１７】データチャネルのスケジューリング方法の第４実施例を図示した概念図
【図１８】多重ビームシナリオでスケジューリング方法の第１実施例を図示した概念図
【図１９】ビームフォーミング伝送方法の第１実施例を図示した概念図
【図２０】ビームフォーミング伝送方法の第２実施例を図示した概念図
【発明を実施するための形態】
【００２７】
本発明は多様な変更を加えることができ、多様な実施例を有することができるところ、特定の実施例を図面に例示して詳細に説明する。しかし、これは本発明を特定の実施形態について限定しようとするものではなく、本発明の思想および技術範囲に含まれるすべての変更、均等物乃至代替物を含むものと理解されるべきである。
【００２８】
第１、第２等の用語は多様な構成要素の説明に使用され得るが、前記構成要素は前記用語によって限定されてはならない。前記用語は一つの構成要素を他の構成要素から区別する目的でのみ使用される。例えば、本発明の権利範囲を逸脱することなく、かつ第１構成要素は第２構成要素と命名され得、同様に第２構成要素も第１構成要素と命名され得る。および／またはという用語は複数の関連した記載された項目の組み合わせまたは複数の関連した記載された項目のいずれかの項目を含む。
【００２９】
ある構成要素が他の構成要素に「連結されて」いるとか「接続されて」いると言及された時には、その他の構成要素に直接的に連結されているかまたは接続されていてもよいが、中間に他の構成要素が存在し得ると理解されるべきである。それに対し、ある構成要素が他の構成要素に「直接連結されて」いるとか「直接接続されて」いると言及された時には、中間に他の構成要素が存在しないものと理解されるべきである。
【００３０】
本出願で使用した用語は単に特定の実施例を説明するために使用されたものであって、本発明を限定しようとする意図ではない。単数の表現は文脈上明白に異なることを意味しない限り、複数の表現を含む。本出願で、「含む」または「有する」等の用語は明細書上に記載された特徴、数字、段階、動作、構成要素、部品またはこれらを組み合わせたものが存在することを指定しようとするものであって、一つまたはそれ以上の他の特徴や数字、段階、動作、構成要素、部品またはこれらを組み合わせたものなどの存在または付加の可能性をあらかじめ排除しないものと理解されるべきである。
【００３１】
特に定義されない限り、技術的または科学的な用語を含んで、ここで使用されるすべての用語は本発明が属する技術分野で通常の知識を有する者によって一般的に理解されるものと同じ意味を有している。一般的に使用される辞書に定義されているような用語は関連技術の文脈上有する意味と一致する意味を有していると解釈されるべきであり、本出願で明白に定義しない限り、理想的または過度に形式的な意味と解釈されない。
【００３２】
以下、添付した図面を参照して本発明の好ましい実施例をさらに詳細に説明する。本発明の説明において、全体の理解を容易にするために図面上の同じ構成要素については同じ参照符号を使用し、同じ構成要素について重複する説明は省略する。
【００３３】
本発明に係る実施例が適用される通信システム（ｃｏｍｍｕｎｉｃａｔｉｏｎ  ｓｙｓｔｅｍ）を説明する。通信システムは、４Ｇ通信システム（例えば、ＬＴＥ（ｌｏｎｇ−ｔｅｒｍ  ｅｖｏｌｕｔｉｏｎ）通信システム、ＬＴＥ−Ａ通信システム）、５Ｇ通信システム（例えば、ＮＲ（ｎｅｗ  ｒａｄｉｏ）通信システム）等であり得る。４Ｇ通信システムは６ＧＨｚ以下の周波数帯域で通信を支援することができ、５Ｇ通信システムは６ＧＨｚ以下の周波数帯域だけでなく６ＧＨｚ以上の周波数帯域で通信を支援することができる。本発明に係る実施例が適用される通信システムは下記に説明された内容に限定されず、本発明に係る実施例は多様な通信システムに適用され得る。ここで、通信システムは通信ネットワーク（ｎｅｔｗｏｒｋ）と同じ意味で使用され得る。
【００３４】
図１は、通信システムの第１実施例を図示した概念図である。
【００３５】
図１を参照すると、通信システム１００は、複数の通信ノード１１０−１、１１０−２、１１０−３、１２０−１、１２０−２、１３０−１、１３０−２、１３０−３、１３０−４、１３０−５、１３０−６を含むことができる。また、通信システム１００は、コアネットワーク（ｃｏｒｅ  ｎｅｔｗｏｒｋ）（例えば、Ｓ−ＧＷ（ｓｅｒｖｉｎｇ−ｇａｔｅｗａｙ）、Ｐ−ＧＷ（ＰＤＮ（ｐａｃｋｅｔ  ｄａｔａ  ｎｅｔｗｏｒｋ）−ｇａｔｅｗａｙ）、ＭＭＥ（ｍｏｂｉｌｉｔｙ  ｍａｎａｇｅｍｅｎｔ  ｅｎｔｉｔｙ））をさらに含むことができる。
【００３６】
複数の通信ノード１１０〜１３０は、３ＧＰＰ（３ｒｄ  ｇｅｎｅｒａｔｉｏｎ  ｐａｒｔｎｅｒｓｈｉｐ  ｐｒｏｊｅｃｔ）標準で規定された通信プロトコル（例えば、ＬＴＥ通信プロトコル、ＬＴＥ−Ａ通信プロトコル、ＮＲ通信プロトコルなど）を支援することができる。複数の通信ノード１１０〜１３０は、ＣＤＭＡ（ｃｏｄｅ  ｄｉｖｉｓｉｏｎ  ｍｕｌｔｉｐｌｅ  ａｃｃｅｓｓ）技術、ＷＣＤＭＡ（ｗｉｄｅｂａｎｄ  ＣＤＭＡ）技術、ＴＤＭＡ（ｔｉｍｅ  ｄｉｖｉｓｉｏｎ  ｍｕｌｔｉｐｌｅ  ａｃｃｅｓｓ）技術、ＦＤＭＡ（ｆｒｅｑｕｅｎｃｙ  ｄｉｖｉｓｉｏｎ  ｍｕｌｔｉｐｌｅ  ａｃｃｅｓｓ）技術、ＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）技術、Ｆｉｌｔｅｒｅｄ  ＯＦＤＭ技術、ＣＰ（ｃｙｃｌｉｃ  ｐｒｅｆｉｘ）−ＯＦＤＭ技術、ＤＦＴ−ｓ−ＯＦＤＭ（ｄｉｓｃｒｅｔｅ  Ｆｏｕｒｉｅｒ  ｔｒａｎｓｆｏｒｍ−ｓｐｒｅａｄ−ＯＦＤＭ）技術、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）技術、ＳＣ（ｓｉｎｇｌｅ  ｃａｒｒｉｅｒ）−ＦＤＭＡ技術、ＮＯＭＡ（Ｎｏｎ−ｏｒｔｈｏｇｏｎａｌ  Ｍｕｌｔｉｐｌｅ  Ａｃｃｅｓｓ）技術、ＧＦＤＭ（ｇｅｎｅｒａｌｉｚｅｄ  ｆｒｅｑｕｅｎｃｙ  ｄｉｖｉｓｉｏｎ  ｍｕｌｔｉｐｌｅｘｉｎｇ）技術、ＦＢＭＣ（ｆｉｌｔｅｒ  ｂａｎｋ  ｍｕｌｔｉ−ｃａｒｒｉｅｒ）技術、ＵＦＭＣ（ｕｎｉｖｅｒｓａｌ  ｆｉｌｔｅｒｅｄ  ｍｕｌｔｉ−ｃａｒｒｉｅｒ）技術、ＳＤＭＡ（Ｓｐａｃｅ  Ｄｉｖｉｓｉｏｎ  Ｍｕｌｔｉｐｌｅ  Ａｃｃｅｓｓ）技術などを支援することができる。複数の通信ノードのそれぞれは次のような構造を有することができる。
【００３７】
図２は、通信システムを構成する通信ノードの第１実施例を図示したブロック図である。
【００３８】
図２を参照すると、通信ノード２００は、少なくとも一つのプロセッサ２１０、メモリ２２０およびネットワークと連結されて通信を遂行する送受信装置２３０を含むことができる。また、通信ノード２００は入力インタフェース装置２４０、出力インタフェース装置２５０、保存装置２６０等をさらに含むことができる。通信ノード２００に含まれたそれぞれの構成要素はバス（ｂｕｓ）２７０により連結されて通信を遂行できる。
【００３９】
プロセッサ２１０は、メモリ２２０および保存装置２６０のうち少なくとも一つに保存されたプログラム命令（ｐｒｏｇｒａｍ  ｃｏｍｍａｎｄ）を実行することができる。プロセッサ２１０は中央処理装置（ｃｅｎｔｒａｌ  ｐｒｏｃｅｓｓｉｎｇ  ｕｎｉｔ、ＣＰＵ）、グラフィック処理装置（ｇｒａｐｈｉｃｓ  ｐｒｏｃｅｓｓｉｎｇ  ｕｎｉｔ、ＧＰＵ）、または本発明の実施例に係る方法が実行される専用のプロセッサを意味し得る。メモリ２２０および保存装置２６０のそれぞれは揮発性保存媒体および不揮発性保存媒体のうち少なくとも一つで構成され得る。例えば、メモリ２２０は読み込み専用メモリ（ｒｅａｄ  ｏｎｌｙ  ｍｅｍｏｒｙ、ＲＯＭ）およびランダムアクセスメモリ（ｒａｎｄｏｍ  ａｃｃｅｓｓ  ｍｅｍｏｒｙ、ＲＡＭ）のうち少なくとも一つで構成され得る。
【００４０】
再び図１を参照すると、通信システム１００は複数の基地局（ｂａｓｅ  ｓｔａｔｉｏｎｓ）１１０−１、１１０−２、１１０−３、１２０−１、１２０−２、複数の端末１３０−１、１３０−２、１３０−３、１３０−４、１３０−５、１３０−６を含むことができる。第１基地局１１０−１、第２基地局１１０−２および第３基地局１１０−３のそれぞれはマクロセル（ｍａｃｒｏ  ｃｅｌｌ）を形成することができる。第４基地局１２０−１および第５基地局１２０−２のそれぞれはスモールセル（ｓｍａｌｌ  ｃｅｌｌ）を形成することができる。第１基地局１１０−１のセルカバレッジ（ｃｅｌｌ  ｃｏｖｅｒａｇｅ）内に第４基地局１２０−１、第３端末１３０−３および第４端末１３０−４が属し得る。第２基地局１１０−２のセルカバレッジ内に第２端末１３０−２、第４端末１３０−４および第５端末１３０−５が属し得る。第３基地局１１０−３のセルカバレッジ内に第５基地局１２０−２、第４端末１３０−４、第５端末１３０−５および第６端末１３０−６が属し得る。第４基地局１２０−１のセルカバレッジ内に第１端末１３０−１が属し得る。第５基地局１２０−２のセルカバレッジ内に第６端末１３０−６が属し得る。
【００４１】
ここで、複数の基地局１１０−１、１１０−２、１１０−３、１２０−１、１２０−２のそれぞれは、ＮＢ（ＮｏｄｅＢ）、ｅＮＢ（ｅｖｏｌｖｅｄ  ＮｏｄｅＢ）、ｇＮＢ、ＡＢＳ（ａｄｖａｎｃｅｄ  ｂａｓｅ  ｓｔａｔｉｏｎ）、ＨＲ−ＢＳ（ｈｉｇｈ  ｒｅｌｉａｂｉｌｉｔｙ−ｂａｓｅ  ｓｔａｔｉｏｎ）、ＢＴＳ（ｂａｓｅ  ｔｒａｎｓｃｅｉｖｅｒ  ｓｔａｔｉｏｎ）、無線基地局（ｒａｄｉｏ  ｂａｓｅ  ｓｔａｔｉｏｎ）、無線トランシーバー（ｒａｄｉｏ  ｔｒａｎｓｃｅｉｖｅｒ）、アクセスポイント（ａｃｃｅｓｓ  ｐｏｉｎｔ）、アクセスノード（ｎｏｄｅ）、ＲＡＳ（ｒａｄｉｏ  ａｃｃｅｓｓ  ｓｔａｔｉｏｎ）、ＭＭＲ−ＢＳ（ｍｏｂｉｌｅ  ｍｕｌｔｉｈｏｐ  ｒｅｌａｙ−ｂａｓｅ  ｓｔａｔｉｏｎ）、ＲＳ（ｒｅｌａｙ  ｓｔａｔｉｏｎ）、ＡＲＳ（ａｄｖａｎｃｅｄ  ｒｅｌａｙ  ｓｔａｔｉｏｎ）、ＨＲ−ＲＳ（ｈｉｇｈ  ｒｅｌｉａｂｉｌｉｔｙ−ｒｅｌａｙ  ｓｔａｔｉｏｎ）、ＨＮＢ（ｈｏｍｅ  ＮｏｄｅＢ）、ＨｅＮＢ（ｈｏｍｅ  ｅＮｏｄｅＢ）、ＲＳＵ（ｒｏａｄ  ｓｉｄｅ  ｕｎｉｔ）、ＲＲＨ（ｒａｄｉｏ  ｒｅｍｏｔｅ  ｈｅａｄ）、ＴＰ（ｔｒａｎｓｍｉｓｓｉｏｎ  ｐｏｉｎｔ）、ＴＲＰ（ｔｒａｎｓｍｉｓｓｉｏｎ  ａｎｄ  ｒｅｃｅｐｔｉｏｎ  ｐｏｉｎｔ）などと指称され得る。
【００４２】
複数の端末１３０−１、１３０−２、１３０−３、１３０−４、１３０−５、１３０−６のそれぞれは、ＵＥ（ｕｓｅｒ  ｅｑｕｉｐｍｅｎｔ）、ＴＥ（ｔｅｒｍｉｎａｌ  ｅｑｕｉｐｍｅｎｔ）、ＡＭＳ（ａｄｖａｎｃｅｄ  ｍｏｂｉｌｅ  ｓｔａｔｉｏｎ）、ＨＲ−ＭＳ（ｈｉｇｈ  ｒｅｌｉａｂｉｌｉｔｙ−ｍｏｂｉｌｅ  ｓｔａｔｉｏｎ）、ターミナル（ｔｅｒｍｉｎａｌ）、アクセスターミナル（ａｃｃｅｓｓ  ｔｅｒｍｉｎａｌ）、モバイルターミナル（ｍｏｂｉｌｅ  ｔｅｒｍｉｎａｌ）、ステーション（ｓｔａｔｉｏｎ）、加入者ステーション（ｓｕｂｓｃｒｉｂｅｒ  ｓｔａｔｉｏｎ）、モバイルステーション（ｍｏｂｉｌｅ  ｓｔａｔｉｏｎ）、携帯加入者ステーション（ｐｏｒｔａｂｌｅ  ｓｕｂｓｃｒｉｂｅｒ  ｓｔａｔｉｏｎ）、ノード（ｎｏｄｅ）、デバイス（ｄｅｖｉｃｅ）、ＯＢＵ（ｏｎ  ｂｏａｒｄ  ｕｎｉｔ）などと指称され得る。
【００４３】
一方、複数の基地局１１０−１、１１０−２、１１０−３、１２０−１、１２０−２のそれぞれは、互いに異なる周波数帯域で動作することができ、または同じ周波数帯域で動作することができる。複数の基地局１１０−１、１１０−２、１１０−３、１２０−１、１２０−２のそれぞれは、アイディアルバックホールリンク（ｉｄｅａｌ  ｂａｃｋｈａｕｌ  ｌｉｎｋ）またはノン（ｎｏｎ）−アイディアルバックホールリンクを通じて連結され得、アイディアルバックホールリンクまたはノン−アイディアルバックホールリンクを通じて情報を交換することができる。複数の基地局１１０−１、１１０−２、１１０−３、１２０−１、１２０−２のそれぞれは、アイディアルバックホールリンクまたはノン−アイディアルバックホールリンクを通じてコアネットワークと連結され得る。複数の基地局１１０−１、１１０−２、１１０−３、１２０−１、１２０−２のそれぞれは、コアネットワークから受信した信号を該当端末１３０−１、１３０−２、１３０−３、１３０−４、１３０−５、１３０−６に伝送することができ、該当端末１３０−１、１３０−２、１３０−３、１３０−４、１３０−５、１３０−６から受信した信号をコアネットワークに伝送することができる。
【００４４】
また、複数の基地局１１０−１、１１０−２、１１０−３、１２０−１、１２０−２のそれぞれは、ＭＩＭＯ伝送（例えば、ＳＵ（ｓｉｎｇｌｅ  ｕｓｅｒ）−ＭＩＭＯ、ＭＵ（ｍｕｌｔｉ  ｕｓｅｒ）−ＭＩＭＯ、大規模（ｍａｓｓｉｖｅ）ＭＩＭＯなど）、ＣｏＭＰ（ｃｏｏｒｄｉｎａｔｅｄ  ｍｕｌｔｉｐｏｉｎｔ）伝送、キャリアアグリゲーション（ｃａｒｒｉｅｒ  ａｇｇｒｅｇａｔｉｏｎ、ＣＡ）伝送、非免許帯域（ｕｎｌｉｃｅｎｓｅｄ  ｂａｎｄ）で伝送、端末間直接通信（ｄｅｖｉｃｅ  ｔｏ  ｄｅｖｉｃｅ  ｃｏｍｍｕｎｉｃａｔｉｏｎ、Ｄ２Ｄ）（またはＰｒｏＳｅ（ｐｒｏｘｉｍｉｔｙ  ｓｅｒｖｉｃｅｓ））、ＩｏＴ（Ｉｎｔｅｒｎｅｔ  ｏｆ  Ｔｈｉｎｇｓ）通信、二重連結性（ｄｕａｌ  ｃｏｎｎｅｃｔｉｖｉｔｙ、ＤＣ）等を支援することができる。ここで、複数の端末１３０−１、１３０−２、１３０−３、１３０−４、１３０−５、１３０−６のそれぞれは、基地局１１０−１、１１０−２、１１０−３、１２０−１、１２０−２と対応する動作、基地局１１０−１、１１０−２、１１０−３、１２０−１、１２０−２により支援される動作を遂行できる。例えば、第２基地局１１０−２はＳＵ−ＭＩＭＯ方式に基づいて信号を第４端末１３０−４に伝送することができ、第４端末１３０−４はＳＵ−ＭＩＭＯ方式によって第２基地局１１０−２から信号を受信することができる。または第２基地局１１０−２はＭＵ−ＭＩＭＯ方式に基づいて信号を第４端末１３０−４および第５端末１３０−５に伝送することができ、第４端末１３０−４および第５端末１３０−５それぞれはＭＵ−ＭＩＭＯ方式によって第２基地局１１０−２から信号を受信することができる。
【００４５】
第１基地局１１０−１、第２基地局１１０−２および第３基地局１１０−３のそれぞれは、ＣｏＭＰ方式に基づいて信号を第４端末１３０−４に伝送することができ、第４端末１３０−４はＣｏＭＰ方式によって第１基地局１１０−１、第２基地局１１０−２および第３基地局１１０−３から信号を受信することができる。複数の基地局１１０−１、１１０−２、１１０−３、１２０−１、１２０−２のそれぞれは、自分のセルカバレッジ内に属する端末１３０−１、１３０−２、１３０−３、１３０−４、１３０−５、１３０−６とＣＡ方式に基づいて信号を送受信することができる。第１基地局１１０−１、第２基地局１１０−２および第３基地局１１０−３のそれぞれは、第４端末１３０−４と第５端末１３０−５間のＤ２Ｄを制御することができ、第４端末１３０−４および第５端末１３０−５のそれぞれは第２基地局１１０−２および第３基地局１１０−３のそれぞれの制御によってＤ２Ｄを遂行できる。
【００４６】
一方、通信システムはＦＤＤ（ｆｒｅｑｕｅｎｃｙ  ｄｉｖｉｓｉｏｎ  ｄｕｐｌｅｘ）方式、ＴＤＤ（ｔｉｍｅ  ｄｉｖｉｓｉｏｎ  ｄｕｐｌｅｘ）方式などを支援することができる。また、通信システム（例えば、ＮＲ）は、下記の表１のように、多様なヌメロロジー（ｎｕｍｅｒｏｌｏｇｙ）（例えば、多様な波形（ｗａｖｅｆｏｒｍ）パラメーター集合）を支援することができる。表１はＬＴＥで規定された一般のＣＰ（例えば、ＬＴＥと同一のＣＰオーバーヘッド（ｏｖｅｒｈｅａｄ））が適用されたヌメロロジーを示すことができ、ＣＰ−ＯＦＤＭが使用される場合にヌメロロジーはサブキャリアの間隔とＣＰ長で定義され得る。具現複雑度を下げるための目的および異種ヌメロロジー間の動作（例えば、キャリアアグリゲーション（ＣＡ）動作、二重連結性（ＤＣ）動作、一つのキャリア内で異種ヌメロロジーの多重化動作など）を効果的に支援する目的のために、表１でサブキャリアの間隔間に２の指数倍の関係が成立し得る。
【００４７】
【表１】
2019530997.tif 000003
【００４８】
ヌメロロジー＃１は、ＬＴＥとＮＲが同一地域で同一周波数帯域を共有するシナリオに適合し得る。ヌメロロジーは動作周波数帯域、目標サービス、シナリオなどにより選択的に使用され得る。また、特定のヌメロロジーは特定の信号または特定のチャネルのために使用され得る。例えば、６０ｋＨｚ以下のサブキャリア間隔に該当するヌメロロジー（すなわち、ヌメロロジー＃１〜＃３）は６ＧＨｚ以下の周波数帯域のために使用され得、６０ｋＨｚ以上のサブキャリア間隔に該当するヌメロロジー（すなわち、ヌメロロジー＃３〜＃６）は６ＧＨｚ以上の周波数帯域のために使用され得る。また、サブキャリア間隔１５ｋＨｚに該当するヌメロロジー（すなわち、ヌメロロジー＃１）はｅＭＢＢ（ｅｎｈａｎｃｅｄ  Ｍｏｂｉｌｅ  ＢｒｏａｄＢａｎｄ）サービスのために使用され得、サブキャリア間隔６０ｋＨｚに該当するヌメロロジー（すなわち、ヌメロロジー＃３）はＵＲＬＬＣ（Ｕｌｔｒａ  Ｒｅｌｉａｂｌｅ  Ｌｏｗ  Ｌａｔｅｎｃｙ  Ｃｏｍｍｕｎｉｃａｔｉｏｎ）サービスのために使用され得る。
【００４９】
一つのヌメロロジーは一つのセルまたは一つのキャリアのために使用され得る。また、一つのヌメロロジーは一つのキャリア内で特定の時間−周波数資源のために使用されてもよい。異種ヌメロロジーは互いに異なる動作周波数帯域のために使用され得る。また、異種ヌメロロジーは同一周波数帯域（例えば、同一キャリア）内で互いに異なるサービス（または要求事項）を支援するために使用され得る。ｍＭＴＣ（ｍａｓｓｉｖｅ  Ｍａｃｈｉｎｅ  Ｔｙｐｅ  Ｃｏｍｍｕｎｉｃａｔｉｏｎ）サービス、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅｓ）サービスなどを支援するために、ヌメロロジー＃１より小さいサブキャリア間隔を有するヌメロロジーが使用され得る。例えば７．５ｋＨｚまたは３．７５ｋＨｚのサブキャリア間隔を有するヌメロロジーが考慮され得る。
【００５０】
一方、ＮＲのフレーム構造は次のように構成され得る。ＮＲで時間軸のビルディングブロックはサブフレーム、スロット、ミニスロット、ＯＦＤＭシンボルなどを含むことができる。下記で説明される実施例において、「ＯＦＤＭシンボル」は他の波形（ｗａｖｅｆｏｒｍ）技術基盤のシンボルであり得る。サブフレームの長さはサブキャリア間隔にかかわらず１ｍｓであり得る。スロットは１４個の連続的なＯＦＤＭシンボルを含むことができる。したがって、スロットの長さはサブフレームの長さとは異なってサブキャリア間隔に反比例し得る。
【００５１】
スロットのそれぞれで制御チャネル（例えば、ダウンリンク制御チャネル、アップリンク制御チャネル）およびデータチャネル（例えば、ダウンリンクデータチャネル、アップリンクデータチャネル）が設定され得、制御チャネルはスロットの前方領域および後方領域のうち少なくとも一つの領域に配置され得る。スロット基盤のスケジューリングが使用される場合に一つのスロットは最小スケジューリング単位であり得、この場合に基地局はスロットのそれぞれのダウンリンク制御チャネルを通じてスケジューリング情報を端末に伝送することができる。
【００５２】
スロットの種類（ｔｙｐｅ）はダウンリンク区間を含むダウンリンクスロット、アップリンク区間を含むアップリンクスロット、ダウンリンク区間およびアップリンク区間をいずれも含む両方向（Ｂｉ−ｄｉｒｅｃｔｉｏｎａｌ）スロットなどに分類され得る。両方向スロットでダウンリンク区間とアップリンク区間の間に保護区間が位置し得、保護区間の長さは２倍の電波遅延（ｐｒｏｐａｇａｔｉｏｎ  ｄｅｌａｙ）と遅延拡散（ｄｅｌａｙ  ｓｐｒｅａｄ）の和より大きく設定され得る。一つのデータパケットまたは一つの伝送ブロック（ｔｒａｎｓｐｏｒｔ  ｂｌｏｃｋ、ＴＢ）を伝送するために、複数のスロットが集成（ａｇｇｒｅｇａｔｉｏｎ）され得る。または複数のデータパケットまたは複数の伝送ブロックを伝送するために、複数のスロットが集成され得る。
【００５３】
ＮＲでスロットより短い長さを有するミニスロット基盤のスケジューリングが使用され得る。例えば、ミニスロットは６ＧＨｚ以上の周波数帯域でアナログまたはハイブリッドビームフォーミングのための積極的なＴＤＭ（ｔｉｍｅ  ｄｉｖｉｓｉｏｎ  ｍｕｌｔｉｐｌｅｘｉｎｇ）支援、非免許帯域で部分（ｐａｒｔｉａｌ）スロット伝送、ＮＲとＬＴＥ間の共存周波数帯域で部分スロット伝送、ＵＲＬＬＣサービスなどのために使用され得る。
【００５４】
多様な実施例を支援するために、ミニスロットの長さおよび開始時点（例えば、位置）は柔軟に定義され得る。例えば、一つのスロットがＭ個のＯＦＤＭシンボルを含む場合、ミニスロットは１個〜（Ｍ−１）個のＯＦＤＭシンボルを含むように設定され得る。ここで、Ｍは２以上の整数であり得る。ミニスロットの長さおよび開始時点は端末のために明示的に設定され得る。この場合、基地局はミニスロットの長さおよび開始時点を端末に通知することができる。またはミニスロットの長さおよび開始時点が端末に明示的に設定されず、制御チャネルのモニタリング区間、スケジューリングされるデータチャネルの時間軸資源の大きさなどを適切に設定することによってミニスロット基盤のスケジューリングが運用され得る。
【００５５】
ＬＴＥで資源割当基本単位はＰＲＢ（ｐｈｙｓｉｃａｌ  ｒｅｓｏｕｒｃｅ  ｂｌｏｃｋ）ペア（Ｐａｉｒ）であり得、一つのＰＲＢペアは時間軸で２個の連続的なスロットと周波数軸で１２個の連続的なサブキャリアを含むことができる。それに対し、ＮＲでＰＲＢは周波数軸の資源割当単位として使用され得る。この場合、一つのＰＲＢはヌメロロジーにかかわらず１２個のサブキャリアを含むことができる。したがって、一つのＰＲＢによって占有される帯域幅は、ヌメロロジーのサブキャリア間隔に比例し得る。例えば、サブキャリア間隔６０ｋＨｚに該当するヌメロロジー＃３を使用する場合に一つのＰＲＢによって占有される帯域幅はサブキャリア間隔１５ｋＨｚに該当するヌメロロジー＃１を使用する場合に一つのＰＲＢによって占有される帯域幅の４倍であり得る。
【００５６】
次いで、ＮＲでダウンリンク制御チャネルの設定方法、ダウンリンク制御チャネルの送受信方法、ダウンリンク制御チャネルの復号のための参照信号の設定方法などについて説明する。通信ノードのうち第１通信ノードで実行される方法（例えば、信号の送信または受信）が説明される場合にも、これに対応する第２通信ノードは第１通信ノードで実行される方法と相応する方法（例えば、信号の受信または送信）を遂行できる。すなわち、端末の動作が説明された場合に、これに対応する基地局は端末の動作と相応する動作を遂行できる。その反対に、基地局の動作が説明された場合に、これに対応する端末は基地局の動作と相応する動作を遂行できる。
【００５７】
下記で説明される実施例は、ＮＲだけでなく他の通信システム（例えば、ＬＴＥ）にも適用され得る。下記の実施例で制御チャネルは、ダウンリンク制御チャネル（例えば、ＰＤＣＣＨ）およびアップリンク制御チャネル（例えば、ＰＵＣＣＨ）のうち少なくとも一つを指示することができ、データチャネルはダウンリンクデータチャネル（例えば、ＰＤＳＣＨ）およびアップリンクデータチャネル（例えば、ＰＵＳＣＨ）のうち少なくとも一つを指示することができる。
【００５８】
ＮＲで端末はブラインド復号（ｂｌｉｎｄ  ｄｅｃｏｄｉｎｇ）動作を遂行することによってＰＤＣＣＨを受信することができる。この場合、端末はあらかじめ定義された探索空間（ｓｅａｒｃｈ  ｓｐａｃｅ）内のＰＤＣＣＨ候補（例えば、ＰＤＣＣＨが伝送され得る候補資源領域）に対するブラインド復号動作を遂行することによって、自らのためのＰＤＣＣＨの存在の有無を判断することができ、自らのためのＰＤＣＣＨが存在するケースに該当ＰＤＣＣＨを受信することができる。ここで、探索空間は「制御チャネル探索空間」または「ＰＤＣＣＨ探索空間」と指称され得、ＰＤＣＣＨ候補の集合であり得る。ＣＣＥ（ｃｏｎｔｒｏｌ  ｃｈａｎｎｅｌ  ｅｌｅｍｅｎｔ）は一つのＰＤＣＣＨが伝送され得る最小資源領域であり得る。一つのＰＤＣＣＨは一つのＣＣＥを通じて伝送され得る。または一つのＰＤＣＣＨは集成されたＣＣＥを通じて伝送され得る。ＣＣＥ集成レベルが高いほど一つのＰＤＣＣＨはより多くの資源領域を占有することができ、この場合にＰＤＣＣＨのコードレート（ｃｏｄｅ  ｒａｔｅ）を下げることによってＰＤＣＣＨの受信性能が向上し得る。
【００５９】
ＣＣＥ集成レベルのそれぞれにおいて、少なくとも一つのＰＤＣＣＨ候補が設定され得る。例えば、ＬＴＥでＣＣＥ集成レベルは１、２、４、８などに設定され得、ＣＣＥ集成レベルのそれぞれのための固定された個数のＰＤＣＣＨ候補が定義され得る。ＬＴＥで共通探索空間（ｃｏｍｍｏｎ  ｓｅａｒｃｈ  ｓｐａｃｅ、ＣＳＳ）はすべての端末が共通してモニタリングする探索空間であり得、ＣＣＥ集成レベル４および８を支援することができる。端末−特定の探索空間（ＵＥ−ｓｐｅｃｉｆｉｃ  ｓｅａｒｃｈ  ｓｐａｃｅ）は端末別に設定される探索空間であり得、ＣＣＥ集成レベル１、２、４、および８を支援することができる。
【００６０】
ＮＲでダウンリンク制御チャネルの基本構成単位はＲＥＧ（ｒｅｓｏｕｒｃｅ  ｅｌｅｍｅｎｔ  ｇｒｏｕｐ）であり得る。ＲＥＧは周波数軸で一つのＰＲＢ（例えば、１２個のサブキャリア）と時間軸で一つのＯＦＤＭシンボルで構成され得る。したがって、一つのＲＥＧは１２個のＲＥを含むことができる。ＲＥＧはダウンリンク制御チャネルの復号のために使用されるＤＭＲＳがマッピングされるＲＥを含むことができる。この場合、一つのＲＥＧ内でダウンリンク制御チャネルがマッピングされ得るＲＥは１２個のＲＥのうちＤＭＲＳがマッピングされたＲＥを除いた残りのＲＥであり得る。一つのＣＣＥは少なくとも一つのＲＥＧを含むことができる。すべてのＣＣＥは同じ個数のＲＥＧを含むことができる。またはＣＣＥは互いに異なる個数のＲＥＧを含むことができる。
【００６１】
一方、端末はＰＤＣＣＨを通じてＤＣＩ（ｄｏｗｎｌｉｎｋ  ｃｏｎｔｒｏｌ  ｉｎｆｏｒｍａｔｉｏｎ）を受信することができる。ＤＣＩは複数の端末が共通して受信する共通ＤＣＩおよび特定の端末が受信する端末−特定のＤＣＩを含むことができる。例えば、共通ＤＣＩはシステム情報（ｓｙｓｔｅｍ  ｉｎｆｏｒｍａｔｉｏｎ、ＳＩ）の伝送のための資源割当情報、電力制御情報、スロット設定情報（例えば、スロットタイプ、スロット構造）、ＴＤＤ  ＵＬ（ｕｐｌｉｎｋ）／ＤＬ（ｄｏｗｎｌｉｎｋ）設定（ｃｏｎｆｉｇｕｒａｔｉｏｎ）情報、制御チャネルの設定情報、ランダムアクセス応答（ｒａｎｄｏｍ  ａｃｃｅｓｓ  ｒｅｓｐｏｎｓｅ）関連情報、ページング（ｐａｇｉｎｇ）関連情報などを含むことができる。端末−特定のＤＣＩはアップリンクスケジューリング情報、ダウンリンクスケジューリング情報などを含むことができる。
【００６２】
ＬＴＥでＰＤＣＣＨ資源領域は全体のシステム帯域幅で定義され得、ＰＤＣＣＨは時間−周波数領域のインターリービング（ｉｎｔｅｒｌｅａｖｉｎｇ）を通じて広い周波数領域で分散され得る。それに対し、ＮＲでは前方互換性のために、特定の信号または特定のチャネルが全体のシステム帯域幅で伝送される場合と特定の信号または特定のチャネルが常に周期的に伝送される場合が最小化され得る。例えば、ＮＲでＰＤＣＣＨは基本的に限定された特定の周波数帯域を通じて伝送され得、必要な場合にＰＤＣＣＨのための資源を他の周波数帯域に追加して設定することができる。すなわち、システムおよび端末の観点で、ＰＤＣＣＨのための複数の資源領域が設定され得る。
【００６３】
・制御資源集合（ｃｏｎｔｒｏｌ  ｒｅｓｏｕｒｃｅ  ｓｅｔ、ＣＯＲＥＳＥＴ）
【００６４】
一方、ＮＲで制御資源集合が設定され得、制御資源集合はＰＤＣＣＨ探索空間（すなわち、端末がＰＤＣＣＨのブラインド復号動作を遂行する資源領域）を含むことができる。制御資源集合は「ＣＯＲＥＳＥＴ」と呼称され得る。制御資源集合は周波数軸で複数のＰＲＢと時間軸で複数のＯＦＤＭシンボルで構成され得る。例えば、制御資源集合は周波数軸で限定された数のＰＲＢと時間軸で限定された数のＯＦＤＭシンボルで構成され得る。他の例を挙げると、制御資源集合は周波数軸では限定された数のＰＲＢで構成され、時間軸では全体の時間資源（例えば、時間軸のすべてのＯＦＤＭシンボル）を含むことができる。この場合、基地局が端末に伝送する制御資源集合の設定情報は周波数軸資源情報を含むことができ、時間軸資源情報を含まなくてもよい。
【００６５】
制御資源集合は複数のＲＥＧを含むことができる。制御資源集合は少なくとも一つのＣＣＥを含むことができる。一つの制御資源集合に属したＰＲＢは周波数軸で連続または不連続であり得る。端末のために少なくとも一つの制御資源集合が設定され得る。端末のために複数の制御資源集合が設定された場合、一つのＤＣＩは一つの制御資源集合内で伝送され得る。
【００６６】
制御資源集合は基本（ｂａｓｅ）制御資源集合および追加（ａｄｄｉｔｉｏｎａｌ）制御資源集合に分類され得る。基本制御資源集合は初期接続の手続きを遂行するＲＲＣ＿休止（ｒａｄｉｏ  ｒｅｓｏｕｒｃｅ  ｃｏｎｔｒｏｌ＿ｉｄｌｅ）状態の端末がＰＤＣＣＨの受信のために最初にモニタリングする資源領域であり得る。ＲＲＣ＿休止状態の端末だけでなくＲＲＣ＿連結（ｃｏｎｎｅｃｔｅｄ）状態の端末も基本制御資源集合に対するモニタリングを遂行できる。基本制御資源集合はＰＢＣＨ（ｐｈｙｓｉｃａｌ  ｂｒｏａｄｃａｓｔ  ｃｈａｎｎｅｌ）または他のチャネルを介して伝送されるシステム情報を通じて端末に設定され得る。追加制御資源集合はシグナリング（ｓｉｇｎａｌｉｎｇ）手続き（例えば、ＲＲＣシグナリング手続き）を通じて端末に設定され得る。したがって、追加制御資源集合はＲＲＣ＿連結状態の端末に有効であり得、特定の端末のために設定され得る。
【００６７】
基本制御資源集合は初期接続の手続きを遂行するすべての端末が共通して支援する最小のシステム帯域幅内で定義され得、追加制御資源集合は基本制御資源集合が割り当てられた周波数帯域より広い周波数帯域内で設定され得る。例えば、追加制御資源集合は端末の動作周波数の帯域幅（例えば、帯域幅部分（ｂａｎｄｗｉｄｔｈ  ｐａｒｔ））内の任意の周波数帯域で設定され得る。端末の動作周波数（例えば、帯域幅部分）はシステム帯域幅または端末のＲＦチャネル帯域幅（ｃｈａｎｎｅｌ  ｂａｎｄｗｉｄｔｈ）内で設定され得る。ＲＲＣ＿休止状態の端末を支援するために独立（ｓｔａｎｄａｌｏｎｅ）モードのセルまたはキャリアで少なくとも一つの基本制御資源集合が設定され得る。基本制御資源集合に属した探索空間は基本探索空間と指称され得、追加制御資源集合に属した探索空間は追加探索空間と指称され得る。
【００６８】
図３は、制御資源集合の第１実施例を図示した概念図である。
【００６９】
図３を参照すると、一つのキャリア（例えば、全体のシステム帯域幅）内に複数の制御資源集合が設定され得る。第１制御資源集合は基本制御資源集合であり得、第２制御資源集合は追加制御資源集合であり得る。第１制御資源集合の帯域幅は前述した端末の最小のシステム帯域幅を越えないように設定され得る。
【００７０】
第１端末の動作周波数の帯域幅内に第１制御資源集合および第２制御資源集合が設定されるため、第１端末は第１制御資源集合および第２制御資源集合のうち少なくとも一つに対するモニタリングを遂行できる。第２端末の動作周波数の帯域幅内に第２制御資源集合が設定されるため、第２端末は第２制御資源集合に対するモニタリングを遂行できる。第３端末の動作周波数の帯域幅内に第１制御資源集合が設定されるため、第３端末は第１制御資源集合に対するモニタリングを遂行できる。
【００７１】
一方、共通ＤＣＩは基本制御資源集合を通じて周期的または非周期的に伝送され得る。この場合、初期接続の手続きが完了した後にも端末は共通ＤＣＩを受信するために、基本制御資源集合に対するモニタリングを遂行できる。ただし、ＲＲＣ＿休止状態からＲＲＣ＿連結状態に遷移した端末は、基本制御資源集合が設定された周波数帯域以外の他の周波数帯域で動作することができる。この場合、端末は基本制御資源集合をモニタリングするために、基本制御資源集合のモニタリング時点ごとに動作周波数帯域を再調整（ｒｅｔｕｎｅ）することができる。または端末は自らの動作周波数帯域内で共通ＤＣＩの伝送のための追加制御資源集合の設定を受けることができる。
【００７２】
・共通ＤＣＩ
【００７３】
基地局は共通ＤＣＩの伝送周期、共通ＤＣＩの伝送スロットの位置（例えば、スロットインデックス）等をシグナリング手続き（例えば、ＲＲＣシグナリング手続き）を通じて端末に通知することができる。共通ＤＣＩの伝送周期はスロットの個数で指示され得る。共通ＤＣＩが受信されなかった場合、端末はＰＤＣＣＨの受信動作だけでなく他の動作も成功裏に遂行できない可能性がある。例えば、共通ＤＣＩ（例えば、スロット設定情報）を受信しなかった端末はスロットのダウンリンク区間の情報が分からないため、ＰＤＳＣＨを受信できない可能性ある。また、共通ＤＣＩ（例えば、スロット設定情報）を受信しなかった端末はスロットのアップリンク区間の情報が分からないため、誤った区間でアップリンク信号およびチャネルを伝送する可能性がある。この場合、基地局は端末からアップリンク信号およびチャネルを受信できない可能性がある。
【００７４】
このような問題を解決するために、基地局は端末−特定のＤＣＩを通じてダウンリンクデータチャネル（例えば、ＰＤＳＣＨ）の伝送区間情報、アップリンクデータチャネル（例えば、ＰＵＳＣＨ）の伝送区間情報などを端末に通知することができる。ここで、伝送区間情報は伝送区間の開始シンボルインデックスおよび終了シンボルインデックスを含むか、伝送区間の開始シンボルインデックスおよび伝送区間の長さを含むことができる。この場合、端末は端末−特定のＤＣＩによって指示される伝送区間でダウンリンクデータチャネルを受信することができ、端末−特定のＤＣＩによって指示される伝送区間でアップリンクデータチャネルを伝送することができる。したがって、共通ＤＣＩの受信の失敗によって引き起こされる問題は解消され得る。
【００７５】
一方、ＮＲで高周波帯域の高い信号の減衰によるカバレッジ損失を補償するために、多数のアンテナに基づいたビームフォーミング（ｂｅａｍｆｏｒｍｉｎｇ）方式が使用され得る。共通情報または放送情報をセル（またはセクター）の全体のカバレッジに伝送するために、多数のビームを多数の時間区間で順次伝送するビームスウィーピング（Ｂｅａｍ  ｓｗｅｅｐｉｎｇ）方式が使用され得る。共通ＤＣＩの伝送のためにビームスウィーピング方式が適用され得る。ビームフォーミング方式（例えば、ビームスウィーピング方式）が使用される環境で端末の動作は共通ＤＣＩに依存しないように設定され得る。このために、共通ＤＣＩが伝送されるスロットを設定するためのＲＲＣシグナリング手続きは、基地局が所望する場合に実行され得る。
【００７６】
共通ＤＣＩはＰＤＣＣＨまたは他のチャネル（以下、ＰＤＣＣＣＨ（ｐｈｙｓｉｃａｌ  ｄｏｗｎｌｉｎｋ  ｃｏｍｍｏｎ  ｃｏｎｔｒｏｌ  ｃｈａｎｎｅｌ）とする）を通じて伝送され得る。ＰＤＣＣＣＨはＬＴＥに規定されたＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）と類似するように設定され得る。ＰＤＣＣＣＨのための符号化／復号化手続きおよび資源構造は、ＰＤＣＣＨのための符号化／復号化手続きおよび資源構造と異なるように設定され得、ＰＤＣＣＣＨはブラインド復号動作の実行なしに固定された資源で受信され得る。ＰＤＣＣＣＨはブラインド復号動作を遂行することなく受信されることがあるため、ＰＤＣＣＣＨの受信のために必要な時間は減少し得る。ＰＤＣＣＣＨが伝送されるスロット（以下、「ＰＤＣＣＣＨスロット」とする）の設定情報はシステム情報の伝送手続き（例えば、シグナリング手続き）を通じて伝送され得、この場合にＲＲＣ＿休止状態の端末だけでなくＲＲＣ＿連結状態の端末もＰＤＣＣＣＨスロットの設定情報を受信することができる。
【００７７】
一方、共通ＤＣＩがＰＤＣＣＨを通じて伝送される場合（以下、「ＰＤＣＣＨ基盤の共通ＤＣＩ伝送方式」とする）、端末はブラインド復号動作を遂行することによって共通ＤＣＩを獲得することができる。この場合、共通ＤＣＩに対するブラインド復号動作の複雑度を減少させるために、共通ＤＣＩのための探索空間は全体の探索空間のうち一部の探索空間（例えば、共通探索空間）に限定され得る。また、共通ＤＣＩはスロットの前方領域に位置することができる。
【００７８】
ＰＤＣＣＨ基盤の共通ＤＣＩ伝送方式でＰＤＣＣＣＨは使用されなくてもよい。多様な種類の共通ＤＣＩが定義される場合、一つのスロット内で伝送される共通ＤＣＩの個数は可変的であり得る。この場合、多様な種類の共通ＤＣＩは複数のＰＤＣＣＨ候補を通じて柔軟にスケジューリングされ得る。また、ＰＤＣＣＨ基盤の共通ＤＣＩ伝送方式は、全方位的な互換性を提供することができる。今後新しい共通ＤＣＩが導入される場合にも、新しい共通ＤＣＩを伝送するための別途のチャネルを追加して定義する必要なく同じＰＤＣＣＨ（例えば、探索空間）を通じて新しい共通ＤＣＩが伝送され得る。
【００７９】
ＰＤＣＣＨ資源領域は共通ＤＣＩまたは他のＤＣＩによって共有されるため、基地局が、共通ＤＣＩが伝送されるスロット（または共通ＤＣＩが伝送され得る候補スロット）を通じて該当共通ＤＣＩを伝送しない場合にも資源損失がないこともある。基地局がスロットまたは候補スロットで共通ＤＣＩを伝送しない場合、端末はあらかじめ定義されたデフォルト（ｄｅｆａｕｌｔ）情報（またはあらかじめ設定されたデフォルト情報）を使用して関連動作を遂行できる。または端末は以前に受信された共通ＤＣＩを使用して関連動作を遂行できる。受信遅延または受信複雑度の観点で、共通ＤＣＩが伝送される探索空間がスロットの前方領域に配置される場合に共通ＤＣＩの受信遅延は最小化され得る。また、特定の共通ＤＣＩが特定ＰＤＣＣＨ候補（例えば、特定ＣＣＥの集合）を通じて伝送されることと設定された場合、端末は特定の共通ＤＣＩをブラインド復号動作なしに受信できるため受信複雑度が減少し得る。
【００８０】
例えば、特定の共通ＤＣＩは探索空間を構成するＰＤＣＣＨ候補のうちＣＣＥ集成レベルＬのＰＤＣＣＨ候補Ｋ番を通じて伝送され得る（以下、「方法２００−１」とする）。方法２００−１は特定の共通ＤＣＩが伝送されるスロットに適用され得、ＰＤＣＣＨ候補は残りのスロットで一般的な用途で使用され得る。この場合、特定の共通ＤＣＩは後述されるスロットフォーマット指示子（ｓｌｏｔ  ｆｏｒｍａｔ  ｉｎｄｉｃａｔｏｒ、ＳＦＩ）（例えば、ＮＲで使用されるスロットのフォーマットを指示する情報）を含むことができる。または特定の共通ＤＣＩはＮＲのプリエンプション指示子（ｐｒｅｅｍｐｔｉｏｎ  ｉｎｄｉｃａｔｏｒ）であり得る。また、特定の共通ＤＣＩのための探索空間は共通探索空間または端末−特定の探索空間であり得る。
【００８１】
一方、端末は特定の共通ＤＣＩが伝送されるスロット（または特定の共通ＤＣＩが伝送され得る候補スロット）内の専用（ｄｅｄｉｃａｔｅｄ）ＰＤＣＣＨ候補で前記特定の共通ＤＣＩのみをモニタリングすることができる（以下、「方法２００−２」とする）。スロット（または候補スロット）で基地局が特定の共通ＤＣＩを伝送しないことが許容され得る。方法２００−２によると、基地局が専用ＰＤＣＣＨ候補を通じて特定の共通ＤＣＩを伝送しない場合、専用ＰＤＣＣＨ候補の資源が浪費され得る。このような問題を解消するために、端末はＰＤＣＣＨ候補（例えば、専用ＰＤＣＣＨ候補）で特定の共通ＤＣＩだけでなく他のＤＣＩをモニタリングすることができる（以下、「方法２００−３」とする）。方法２００−１〜方法２００−３のために、基地局は共通ＤＣＩのモニタリングのための探索空間の位置情報（例えば、Ｌ、Ｋ）をシグナリング手続き（例えば、ＲＲＣシグナリング手続き）を通じて端末に通知することができる。
【００８２】
・共通ＤＣＩに含まれる情報
【００８３】
共通ＤＣＩはスロット設定情報（例えば、スロットフォーマット指示子）を含むことができる。スロット設定情報はスロットのダウンリンク区間、保護区間、およびアップリンク区間のそれぞれを指示する情報（例えば、ダウンリンク区間、保護区間、およびアップリンク区間のそれぞれに属したＯＦＤＭシンボル（例えば、ＯＦＤＭシンボル集合）の位置情報）を含むことができる。保護区間は伝送方向（例えば、アップリンク方向、ダウンリンク方向）が定義されていないアンノウン（ｕｎｋｎｏｗｎ）区間であり得る。端末はアンノウン区間が他のシグナリングによってオーバーライド（ｏｖｅｒｒｉｄｅ）されることによって伝送方向が定められる前までは、アンノウン区間で送受信動作を遂行しないこともある。
【００８４】
スロット設定情報の伝送周期はＮ個のスロットで設定され得る。Ｎは１以上の整数であり得る。同一周波数帯域でＮＲとＬＴＥの共存のために、スロット設定情報の伝送周期はＬＴＥでＵＬ／ＤＬ設定に対する再設定情報の伝送周期である１０ｍｓ、２０ｍｓ、４０ｍｓまたは８０ｍｓで設定され得る。「Ｎ＞１」である場合、スロット設定情報はＮ個の連続したスロットに適用され得る。一つのスロットの構造を指示するためにＸビットが必要な場合、Ｎ個のスロットの構造を指示するために最大「Ｎ×Ｘ」ビットが必要となり得る。
【００８５】
また、共通ＤＣＩは予約資源（ｒｅｓｅｒｖｅｄ  ｒｅｓｏｕｒｃｅ）情報を含むことができる。予約資源情報はスロット（またはスロットグループ）内に特定の時間−周波数資源が予約されたことを指示するために使用され得る。予約資源情報を受信した端末は、予約資源情報によって指示された時間−周波数資源を通じて、自らのための特定の信号およびチャネルが伝送されないものと判断することができる（以下、「方法３００−１」とする）。または予約資源情報を受信した端末は、予約資源情報によって指示された時間−周波数資源を通じて、自らのためのいかなる信号またはチャネルも伝送されないものと判断することができる（以下、「方法３００−２」とする）。
【００８６】
方法３００−１で特定の信号はスロットを通じて伝送される信号であり得、特定のチャネルはスロットを通じて伝送されるＰＤＳＣＨ、ＰＵＳＣＨ、ＰＵＣＣＨなどであり得る。また、方法３００−１で特定の信号およびチャネルのそれぞれはミニスロットを介して伝送される信号およびチャネルを含まなくてもよい。この場合、基地局は共通ＤＣＩを使用して特定の時間−周波数資源を予約することができ、予約された特定の時間−周波数資源を使用してミニスロット基盤の伝送を遂行できる。また、予約資源情報はダウンリンクおよびアップリンク参照信号の伝送を保護するために使用され得る。例えば、予約資源情報によって指示される時間−周波数資源はＣＳＩ−ＲＳ、ＳＲＳ（ｓｏｕｎｄｉｎｇ  ｒｅｆｅｒｅｎｃｅ  ｓｉｇｎａｌ）等の伝送のために使用され得る。
【００８７】
前述した共通ＤＣＩに含まれる情報（例えば、スロット設定情報、予約資源情報など）は、端末の側面で、できるだけ早い時点で最小の複雑度で受信されることが好ましい。したがって、共通ＤＣＩに含まれる情報はＰＤＣＣＣＨまたはＰＤＣＣＨ内の制限された特定の探索空間（例えば、共通探索空間）を介して伝送され得る。前述した特徴を有する共通ＤＣＩは「第１共通ＤＣＩ」と指称され得る。第１共通ＤＣＩはＮＲのグループ共通ＰＤＣＣＨを通じて伝送され得る。この場合、第１共通ＤＣＩのそれぞれの伝送周期および伝送スロットの位置のうち少なくとも一つは独立して設定され得る。
【００８８】
一方、第１共通ＤＣＩ以外の他の共通ＤＣＩ（以下、「第２共通ＤＣＩ」とする）は、ランダムアクセス応答のための情報、システム情報を含むＰＤＳＣＨのスケジューリング情報、電力制御情報などを含むことができる。第２共通ＤＣＩはＰＤＣＣＨを通じて伝送され得る。第２共通ＤＣＩのための探索空間（例えば、共通探索空間、端末−特定の探索空間）は第１共通ＤＣＩのための探索空間より広く設定され得る。
【００８９】
・探索空間
【００９０】
ＬＴＥの探索空間は共通探索空間および端末−特定の探索空間に分類され得、端末によってモニタリングされるＲＮＴＩ（ｒａｄｉｏ  ｎｅｔｗｏｒｋ  ｔｅｍｐｏｒａｒｙ  ｉｄｅｎｔｉｆｉｅｒ）の種類は探索空間別に異に定義され得る。例えば、ＳＩ（ｓｙｓｔｅｍ  ｉｎｆｏｒｍａｔｉｏｎ）−ＲＮＴＩ、ＲＡ（ｒａｎｄｏｍ  ａｃｃｅｓｓ）−ＲＮＴＩ、Ｐ（ｐａｇｉｎｇ）−ＲＮＴＩ、ＴＰＣ（ｔｒａｎｓｍｉｔ  ｐｏｗｅｒ  ｃｏｎｔｒｏｌ）−ＰＵＣＣＨ−ＲＮＴＩ、ＴＰＣ−ＰＵＳＣＨ−ＲＮＴＩおよびｅＩＭＴＡ（ｅｎｈａｎｃｅｄ  ｉｎｔｅｒｆｅｒｅｎｃｅ  ｍａｎａｇｅｍｅｎｔ  ａｎｄ  ｔｒａｆｆｉｃ  ａｄａｐｔａｔｉｏｎ）−ＲＮＴＩでスクランブルされた（ｓｃｒａｍｂｌｅｄ）ＣＲＣ（ｃｙｃｌｉｃ  ｒｅｄｕｎｄａｎｃｙ  ｃｈｅｃｋ）を含むＤＣＩは、共通探索空間を介して伝送され得る。ＬＴＥで制御チャネル（例えば、制御信号）にビームフォーミングが適用されないため、共通ＤＣＩまたは端末−特定のＤＣＩは共通探索空間を介して複数の端末でブロードキャスティングされ得る。したがって、ＬＴＥですべての端末は同じ探索空間（例えば、共通探索空間）をモニタリングすることによって共通ＤＣＩまたは端末−特定のＤＣＩを獲得することができる。
【００９１】
それに対し、ＮＲで制御チャネル（例えば、制御信号）はビームフォーミングされ得、同一セル内の端末は互いに異なる周波数帯域で動作できるため、特定の共通ＤＣＩ（例えば、第２共通ＤＣＩ）を受信するために端末が同じ探索空間をモニタリングすることは不適合であり得る。したがって、ＮＲで探索空間は共通探索空間および端末−特定の探索空間に分類されずに、一つの統合探索空間と定義され得る（以下、「方法４００−１」とする）。方法４００−１によると、制御資源集合で端末のために一つの統合探索空間が設定され得る。この場合、端末のための複数の制御資源集合が設定されることは、複数の制御資源集合の個数と同じ統合探索空間が設定されることを意味し得る。
【００９２】
端末のために設定された探索空間（例えば、統合探索空間）を介してＤＣＩが伝送される場合、基地局はＰＤＣＣＨ伝送のために許容されたすべての種類のＲＮＴＩを使用してＣＲＣをスクランブリングすることができ、端末は探索空間（例えば、統合探索空間）でＰＤＣＣＨ伝送のために許容されたすべての種類のＲＮＴＩをモニタリングすることができる。または基地局は基本制御資源集合内の探索空間を介して共通ＤＣＩを伝送する場合に、共通ＤＣＩのために許容されたＲＮＴＩを使用してＣＲＣをスクランブリングすることができ、追加制御資源集合内の探索空間を介してＤＣＩ（例えば、共通ＤＣＩ、端末−特定のＤＣＩ）を伝送する場合に、すべての種類のＲＴＮＩを使用してＣＲＣをスクランブリングすることができる。この場合、端末は基本制御資源集合内の探索空間で共通ＤＣＩに適用可能なＲＮＴＩをモニタリング（例えば、共通ＤＣＩモニタリング）することができ、追加制御資源集合内の探索空間ですべての種類のＲＮＴＩ（例えば、共通ＤＣＩ、端末−特定のＤＣＩ）をモニタリングすることができる。
【００９３】
一つの探索空間（例えば、統合探索空間）でモニタリング対象であるＲＮＴＩの種類が多い場合、ＰＤＣＣＨのブラインド復号動作で端末は複数のＲＮＴＩに対してＣＲＣチェックを何度も繰り返して遂行しなければならない。この場合、端末の受信複雑度が増加し得るが、受信複雑度の増加量はチャネル復号に必要とされる複雑度に比べて低いことがある。方法４００−１はすべての制御資源集合（例えば、基本制御資源集合、追加制御資源集合）に適用され得る。
【００９４】
または方法４００−１は追加制御資源集合にのみ適用され得る。方法４００−１が追加制御資源集合にのみ適用される場合、基本制御資源集合内に共通探索空間と端末−特定の探索空間が設定され得る。基本制御資源集合内で、共通探索空間はデフォルトで存在し得、端末−特定の探索空間は追加して設定され得る。方法４００−１が適用されない場合、追加制御資源集合内に共通探索空間および端末−特定の探索空間のうち少なくとも一つが設定され得る。
【００９５】
探索空間はＣＣＥ集成レベル別にあらかじめ定義され得る。例えば、端末がモニタリングを遂行する探索空間（例えば、ＰＤＣＣＨ候補の個数、資源位置など）は、ＣＣＥ集成レベル１、２、４および８のそれぞれにおいてあらかじめ定義され得る。または探索空間はＣＣＥ集成レベル別に基地局によって設定され得、基地局は設定された探索空間に対する情報を端末に通知することができる。ＮＲで端末のＰＤＣＣＨ復号動作の複雑度を減少させるために、基地局はＣＣＥ集成レベル別ＰＤＣＣＨ候補の個数または全体のＰＤＣＣＨ候補の個数をシグナリング手続きを通じて端末に通知することができ、端末はシグナリング手続きを通じて獲得された情報に基づいてＰＤＣＣＨブラインド復号動作を遂行できる。
【００９６】
ここで、探索空間はＣＣＥ集成レベル別探索空間の和を指示することができる。また、探索空間は各ＣＣＥ集成レベルによる探索空間を指示することができる。例えば、共通探索空間がＣＣＥ集成レベル４および８に対応する探索空間を含む場合、該当探索空間は「一つの探索空間」と指称され得る。また、複数の探索空間が存在するということは複数のＣＣＥ集成レベルに対応する探索空間が複数個であることを指示し得る。
【００９７】
一方、制御資源集合内の探索空間は次の通り定義され得る。制御資源集合の構成の基本単位はＲＥＧであり得、制御資源集合内に複数のＲＥＧで構成されるＣＣＥが存在し得る。一つの制御資源集合内でＣＣＥ間は重ならなくてもよい。制御資源集合内の探索空間はＲＥＧを含むことができる。特定の探索空間を定義するためのＲＥＧの候補集合は、「ＲＥＧプール（Ｐｏｏｌ）」と指称され得る。共通探索空間のためのＲＥＧプールは「共通ＲＥＧプール」と指称され得、端末−特定の探索空間のためのＲＥＧプールは「端末−特定のＲＥＧプール」と指称され得る。探索空間はＲＥＧプール内であらかじめ定義された規則によって設定され得る。例えば、探索空間はＲＥＧプールに属するすべてのＲＥＧで構成され得るか、ＲＥＧプールに属した一部のＲＥＧで構成され得る。例えば、ＲＥＧプール内で一部のＲＥＧで探索空間を構成するために、ＬＴＥのＰＤＣＣＨまたはＥＰＤＣＣＨの探索空間の構成のために使用されるハッシュ関数（ｈａｓｈ  ｆｕｎｃｔｉｏｎ）が同一または類似するように使用され得る。
【００９８】
ＲＥＧプールは制御資源集合の周波数領域の全体を占有することができ、制御資源集合を構成するＯＦＤＭシンボルのうち少なくとも一つのＯＦＤＭシンボルを含むことができる（以下、「方法５００−１」とする）。一つの制御資源集合内で複数のＲＥＧプールが設定され得る。これを通じて一つの制御資源集合は互いに異なる種類の複数の探索空間（例えば、共通探索空間、端末−特定の探索空間）を含むことができる。または一つの制御資源集合は同じ種類の複数の探索空間（例えば、複数の端末−特定の探索空間）を含むことができる。
【００９９】
図４ａは制御資源集合内のＲＥＧプールの第１実施例を図示した概念図、図４ｂは制御資源集合内のＲＥＧプールの第２実施例を図示した概念図、図４ｃは制御資源集合内のＲＥＧプールの第３実施例を図示した概念図、図４ｄは制御資源集合内のＲＥＧプールの第４実施例を図示した概念図、図４ｅは制御資源集合内のＲＥＧプールの第５実施例を図示した概念図である。
【０１００】
図４ａ〜図４ｅを参照すると、一つの制御資源集合内に複数の探索空間が存在し得る。制御資源集合は連続的な周波数領域（例えば、連続的なＰＲＢ）または不連続的な周波数領域（例えば、不連続的なＰＲＢ）で設定され得る。方法５００−１によると、第１ＲＥＧプールおよび第２ＲＥＧプールのそれぞれは制御資源集合の周波数領域の全体を占有することができる。すなわち、第１ＲＥＧプールおよび第２ＲＥＧプールの周波数領域は制御資源集合の周波数領域と同じであり得る。
【０１０１】
図７ａ〜図７ｃにおいて、制御資源集合の時間区間は周期的に繰り返され得る。例えば、制御資源集合の時間区間は各周期内で４個の連続したＯＦＤＭシンボルで構成され得る。第１ＲＥＧプールは共通ＲＥＧプールであり得、第１ＲＥＧプール内で共通探索空間が定義され得る。第２ＲＥＧプールは端末−特定のＲＥＧプールであり得、第２ＲＥＧプール内で端末−特定の探索空間が定義され得る。共通ＤＣＩの早い受信のために、共通ＲＥＧプールは制御資源集合内で最初のＮ個のＯＦＤＭシンボルで構成され得る（以下、「方法５００−２」とする）。Ｎは１以上の整数であり得る。
【０１０２】
方法５００−２が適用されるＲＥＧプール（例えば、共通ＲＥＧプール）内で設定される探索空間は、端末によってモニタリングされ得るように保護され得る。端末は第１ＲＥＧプールに対応する探索空間を常にモニタリングすることができる。
【０１０３】
図４ａでＲＥＧプール（例えば、第１ＲＥＧプール、第２ＲＥＧプール）は互いに重ならないように設定され得る（以下、「方法５１０−１」とする）。方法５１０−１によると、互いに異なる探索空間でＰＤＣＣＨ候補間の資源の衝突が発生しないため、ＣＣＥ−ＲＥＧマッピング規則は単純化され得る。
【０１０４】
図４ｂおよび図４ｃでＲＥＧプール（例えば、第１ＲＥＧプール、第２ＲＥＧプール）は重なり得る。図４ｂで第１ＲＥＧプールの一部は第２ＲＥＧプールと重なり得る（以下、「５１０−２」とする）。図４ｃで第１ＲＥＧプールは第２ＲＥＧプールに含まれ得る（以下、「５１０−３」とする）。方法５１０−２または方法５１０−３が使用される場合、方法５１０−１に比べて資源効率性が向上し得る。また、方法５１０−２および方法５１０−３によると、探索空間のＲＥＧプールが拡張され得るため、端末別に互いに異なる探索空間が定義される場合に端末間探索空間の衝突確率は減少し得る。
【０１０５】
図７ｄおよび図７ｅで制御資源集合は、時間軸で全体の時間資源（すなわち、すべてのスロットおよびすべてのＯＦＤＭシンボル）を含むことができる。例えば、制御資源集合はすべてのスロットのＯＦＤＭシンボル＃０〜＃１３を含むことができる。制御資源集合を構成する各ＲＥＧプールの時間区間は周期性を有することができ、各ＲＥＧプールは一周期内で一つまたは複数の連続したＯＦＤＭシンボルを含むことができる。図７ｄでＲＥＧプールはスロット単位の周期を有することができる。第１ＲＥＧプールの周期は１個のスロットであり得、第１ＲＥＧプールの時間区間は各周期内の最初および２番目のＯＦＤＭシンボル（すなわち、ＯＦＤＭシンボル＃０および＃１）を含むことができる。第２ＲＥＧプールの周期は２個のスロットであり得、第２ＲＥＧプールの時間区間は各周期内の３番目および４番目のＯＦＤＭシンボル（すなわち、最初のスロットのＯＦＤＭシンボル＃２および＃３）を含むことができる。例えば、第１ＲＥＧプールは共通ＲＥＧプールであり、第１ＲＥＧプール内で共通探索空間が定義され得る。例えば、第２ＲＥＧプールは端末−特定のＲＥＧプールであり、第２ＲＥＧプール内で端末−特定の探索空間が定義され得る。
【０１０６】
図７ｅで一部のＲＥＧプールはスロット単位の周期を有することができ、一部のＲＥＧプールはＯＦＤＭシンボル単位の周期を有することができる。第１ＲＥＧプールの周期は１個のスロットであり得、第１ＲＥＧプールの時間区間は各周期内の最初のＯＦＤＭシンボル（すなわち、ＯＦＤＭシンボル＃０）を含むことができる。第２ＲＥＧプールの周期は２個のＯＦＤＭシンボルであり得、第２ＲＥＧプールの時間区間は各周期内の最初のＯＦＤＭシンボル（例えば、ＯＦＤＭシンボル＃０、＃２、＃４、＃６、＃８、＃１０、＃１２）を含むことができる。前述した設定方式によると、第１ＲＥＧプールは第２ＲＥＧプールに含まれ得る。例えば、第１ＲＥＧプール内で定義される探索空間を介してスロット基盤のスケジューリング（例、ｅＭＢＢ伝送のためのスケジューリング）が実行され得る。例えば、第２ＲＥＧプール内で定義される探索空間を介して、ミニスロット基盤のスケジューリング（例、ＵＲＬＬＣ伝送のためのスケジューリング）が実行され得る。
【０１０７】
ＲＥＧプールの設定情報は基地局から端末にシグナリング手続き（例、ＲＲＣシグナリング手続き）を通じて伝送され得る。ＲＥＧプールの設定情報はＲＥＧプールの時間および周波数資源情報のうち少なくとも一つを含むことができる。ＲＥＧプールの時間資源情報は、ＲＥＧプールを構成するＯＦＤＭシンボルの位置に関する情報（例えば、ＲＥＧプールの時間区間の長さ、時間区間の開始点、および周期のうち少なくとも一つの情報）を含むことができる。ＲＥＧプール内でＰＤＣＣＨ探索空間が定義され得るため、ＲＥＧプールの時間資源情報は端末がＰＤＣＣＨ探索空間をモニタリングする区間の情報を意味し得る。
【０１０８】
ＲＥＧプールの周波数資源情報は方法５００−１によって端末に別途に設定されないことがあり、ＲＥＧプールの周波数資源は該当ＲＥＧプールを含む制御資源集合（または該当ＲＥＧプールと論理的連結関係を有する制御資源集合）の周波数資源領域と同じであり得る。このために基地局はＲＥＧプールを設定する場合にＲＥＧプールが含まれる制御資源集合（またはＲＥＧプールと論理的連結関係を有する制御資源の集合）の情報端末に通知することができる。例えば、ＲＥＧプールの設定情報は制御資源集合のＩＤを含むことができ、前記ＩＤを有する制御資源集合は端末にあらかじめ設定されたり前記ＲＥＧプールと共に設定されたりされ得る。
【０１０９】
・ＣＣＥ−ＲＥＧマッピング構造
【０１１０】
ＣＣＥ−ＲＥＧマッピング構造は制御資源集合または制御資源集合に属するＲＥＧプールを基準として定義され得る。複数の制御資源集合またはそれに対応する探索空間が時間−周波数資源上で重なる場合、ＣＣＥ−ＲＥＧマッピング構造で探索空間の間の関係が考慮され得る。ＣＣＥ−ＲＥＧマッピングのために分散的（ｄｉｓｔｒｉｂｕｔｅｄ）マッピング方法が使用され得る。分散的マッピング方法は、各ＣＣＥを構成するＲＥＧが時間区間および周波数帯域のうち少なくとも一つで不連続的に位置する場合を含むことができる。分散的マッピング方法が実行される場合、ＯＦＤＭシンボル単位の１次元インターリービングが実行され得る。
【０１１１】
図５は、ＣＣＥ−ＲＥＧマッピング方法の第１実施例を図示した概念図である。
【０１１２】
図５を参照すると、制御資源集合の時間区間は４個のＯＦＤＭシンボルを含むことができ、４個のＯＦＤＭシンボルのそれぞれに６個のＲＥＧが位置することができる。４個のＯＦＤＭシンボルのそれぞれでＲＥＧインデックスは順次設定され得る。例えば、ＲＥＧインデックスは該当ＲＥＧが位置した周波数帯域が高いほど増加し得る。制御資源集合に属した４個のＯＦＤＭシンボルのそれぞれでＲＥＧ−レベル周波数インターリービング動作が適用され得る（以下、「方法６００−１」とする）。ＲＥＧ−レベル周波数インターリービング動作が完了した場合、４個のＯＦＤＭシンボルのそれぞれでＲＥＧはあらかじめ設定されたインターリービングパターンに基づいて周波数帯域に分散され得る。ここで、インターリービングパターンは、ＯＦＤＭシンボルごとに異なるように設定され得る。インターリービングパターンが擬似ランダム（ｐｓｅｕｄｏ−ｒａｎｄｏｍ）インターリービングパターンである場合、擬似ランダムインターリービングパターンはＯＦＤＭシンボルごとに独立して設定され得る。インターリービングパターンが一定の規則を有する場合、ＯＦＤＭシンボルの間のインターリービングパターンは互いに依存性を有し得る。例えば、同じ行（例えば、同一ＰＲＢ）内で同じＲＥＧインデックスは重複され得ない。他の例を挙げると、各ＯＦＤＭシンボルに同じインターリービングパターンが適用され得る。
【０１１３】
制御資源集合内でインターリービングされた少なくとも一つのＲＥＧを含むＲＥＧプールが設定され得る。制御資源集合内でＲＥＧプールが設定された後に、ＯＦＤＭシンボル別に設定されたＲＥＧインデックスは、ＲＥＧプール内で唯一の（ｕｎｉｑｕｅ）値を有するグローバル（ｇｌｏｂａｌ）ＲＥＧインデックスに変換され得る（以下、「方法６００−２」とする）。
【０１１４】
図６は、ＲＥＧプール内で設定された探索空間の第１実施例を図示した概念図である。
【０１１５】
図６を参照すると、探索空間は方法６００−１および方法６００−２に基づいて設定され得る。図６の制御資源集合でＲＥＧインデックスは、図５の制御資源集合でＲＥＧインデックス（例えば、ＲＥＧ−レベル周波数インターリービングが実行された後のＲＥＧインデックス）と同じであり得る。ＲＥＧプールは制御資源集合の２個のＯＦＤＭシンボル（例えば、ＯＦＤＭシンボル＃０および＃１）を含むことができ、ＲＥＧプールのＲＥＧインデックスはグローバルＲＥＧインデックスに変換され得る。
【０１１６】
例えば、グローバルＲＥＧインデックスはＲＥＧプールの最初のＯＦＤＭシンボルの周波数帯域で先に設定され得、ＲＥＧプールの最初のＯＦＤＭシンボルのインデクシングが完了した後にＲＥＧプールの２番目のＯＦＤＭシンボルの周波数帯域で設定され得る。この場合、グローバルＲＥＧインデックスは制御資源集合内のＲＥＧインデックスの順序に基づいてインデクシングされ得る。ＲＥＧプールの最初のＯＦＤＭシンボルでグローバルＲＥＧインデックスｍ１は制御資源集合内のＲＥＧインデックスと同一に設定され得る。ＲＥＧプール内の最初のＯＦＤＭシンボルでＲＥＧインデックスが「ｍ＝０、１、２、３、４、５」である場合、ＲＥＧプールの最初のＯＦＤＭシンボルでグローバルＲＥＧインデックスｍ１はｍと同一に設定され得る。ＲＥＧプールの２番目のＯＦＤＭシンボルでグローバルＲＥＧインデックスｍ２は次の通り設定され得る。ＲＥＧプール内の２番目のＯＦＤＭシンボルでＲＥＧインデックスが「ｍ＝０、１、２、３、４、５」であり、ＯＦＤＭシンボル別ＲＥＧの個数がＱ（例えば、６）の場合、ＲＥＧプールの２番目のＯＦＤＭシンボルでグローバルＲＥＧインデックスｍ２は、「ｍ＋Ｑ（例えば、ｍ＋６）」に基づいて設定され得る（以下、「方法６００−３」とする）。
【０１１７】
図６の第１実施例でＲＥＧプール内で二つのＣＣＥ（例えば、ＣＣＥ＃０、ＣＣＥ＃１）が設定され得、ＣＣＥのそれぞれは少なくとも一つのＲＥＧ（例えば、４個のＲＥＧ）を含むことができる。一つのＣＣＥに属したＲＥＧは連続的なグローバルＲＥＧインデックスを有することができる。例えば、グローバルＲＥＧ＃０〜＃３に対応するＲＥＧは、ＣＣＥ＃０にマッピングされ得、グローバルＲＥＧ＃４〜＃７に対応するＲＥＧはＣＣＥ＃１にマッピングされ得る。この場合、ＣＣＥ＃０は最初のＯＦＤＭシンボル内で周波数帯域に分散され得、ＣＣＥ＃１は二つのＯＦＤＭシンボルで設定され得る。端末が迅速に受信しなければならないＤＣＩは、ＣＣＥ＃０を通じて伝送され得る。相対的に処理時間の余裕があるＤＣＩは、ＣＣＥ＃１またはＣＣＥ＃０とＣＣＥ＃１を含む集成されたＣＣＥを通じて伝送され得る。共通探索空間、端末−特定の探索空間および統合探索空間は、図６を参照して説明された方法に基づいて設定され得る。例えば、共通探索空間、端末−特定の探索空間および統合探索空間のそれぞれは少なくとも一つのＣＣＥを含むことができる。
【０１１８】
図７は、ＲＥＧプール内で設定された探索空間の第２実施例を図示した概念図である。
【０１１９】
図７を参照すると、探索空間は方法６００−１および方法６００−２に基づいて設定され得る。図７の制御資源集合でＲＥＧインデックスは、図５の制御資源集合でＲＥＧインデックス（例えば、ＲＥＧ−レベル周波数インターリービングが実行された後のＲＥＧインデックス）と同じであり得る。制御資源集合の最初のＯＦＤＭシンボル（例えば、ＲＥＧ＃０〜＃５）と制御資源集合の２番目のＯＦＤＭシンボルでＲＥＧ＃０および＃１は、他の用途（例えば、図６に図示された探索空間、他の物理チャネルおよび信号のために使用されるＲＥＧ）で使用され得る。ＲＥＧプールは制御資源集合の３個のＯＦＤＭシンボル（例えば、ＯＦＤＭシンボル＃１〜＃３）を含むことができ、ＲＥＧプールのＲＥＧインデックスはグローバルＲＥＧインデックスに変換され得る。
【０１２０】
例えば、ＲＥＧプールの最初のＯＦＤＭシンボルのインデクシング動作が完了した後に、ＲＥＧプールの２番目のＯＦＤＭシンボルの周波数帯域でインデクシング動作が実行され得、ＲＥＧプールの２番目のＯＦＤＭシンボルのインデクシング動作が完了した後に、ＲＥＧプールの３番目のＯＦＤＭシンボルの周波数帯域でインデクシング動作が実行され得る。ＲＥＧプールの最初のＯＦＤＭシンボルでＲＥＧ＃０および＃１は他の用途で使用されるため、ＲＥＧプールの最初のＯＦＤＭシンボルでＲＥＧ＃０および＃１は探索空間（例えば、ＣＣＥ）から除外され得る。
【０１２１】
ＲＥＧプールのＯＦＤＭシンボル＃ｎ（例えば、ＯＦＤＭシンボル＃１）まで探索空間に除外されるＲＥＧの個数がＬｎ（例えば、２）であり、ＯＦＤＭシンボルのそれぞれに属したＲＥＧの個数がＱ（例えば、６）であり、ＲＥＧプール内の最初のＯＦＤＭシンボルでＲＥＧインデックスが「ｍ＝２、３、４、５」である場合、ＲＥＧプールの最初のＯＦＤＭシンボルでグローバルＲＥＧインデックスｍ１は、「ｍ＋Ｑ（ｎ−１）−Ｌｎ（すなわち、ｍ−２）」に基づいて設定され得る（以下、「方法６００−４」とする）。ＲＥＧプールのＯＦＤＭシンボル＃ｎ（例えば、ＯＦＤＭシンボル＃２）まで探索空間に除外されるＲＥＧの個数がＬｎ（例えば、２）であり、ＯＦＤＭシンボルのそれぞれに属したＲＥＧの個数がＱ（例えば、６）であり、ＲＥＧプール内の２番目のＯＦＤＭシンボルでＲＥＧインデックスが「ｍ＝０、１、２、３、４、５」である場合、ＲＥＧプールの２番目のＯＦＤＭシンボルでグローバルＲＥＧインデックスｍ２は、「ｍ＋Ｑ（ｎ−１）−Ｌｎ（例えば、ｍ＋４）」に基づいて設定され得る。ＲＥＧプールのＯＦＤＭシンボル＃ｎ（例えば、ＯＦＤＭシンボル＃３）まで探索空間に除外されるＲＥＧの個数がＬｎ（例えば、２）であり、ＯＦＤＭシンボルのそれぞれに属したＲＥＧの個数がＱ（例えば、６）であり、ＲＥＧプール内の３番目のＯＦＤＭシンボルでＲＥＧインデックスが「ｍ＝０、１、２、３、４、５」である場合、ＲＥＧプールの３番目のＯＦＤＭシンボルでグローバルＲＥＧインデックスｍ３は、「ｍ＋Ｑ（ｎ−１）−Ｌｎ（例えば、ｍ＋１０）」に基づいて設定され得る。
【０１２２】
図７の第２実施例でＲＥＧプール内で３個のＣＣＥ（例えば、ＣＣＥ＃０、ＣＣＥ＃１、ＣＣＥ＃２）が設定され得、ＣＣＥのそれぞれは４個のＲＥＧを含むことができる。一つのＣＣＥに属したＲＥＧは連続的なグローバルＲＥＧインデックスを有することができる。例えば、グローバルＲＥＧ＃０〜＃３に対応するＲＥＧはＣＣＥ＃０にマッピングされ得、グローバルＲＥＧ＃４〜＃７に対応するＲＥＧはＣＣＥ＃１にマッピングされ得、グローバルＲＥＧ＃８〜＃１１に対応するＲＥＧはＣＣＥ＃２にマッピングされ得る。
【０１２３】
例えば、ＲＥＧプールでＣＣＥは端末−特定の探索空間として使用され得、ＲＥＧプールの最初のＯＦＤＭシンボルでＣＣＥで設定されていないＲＥＧ（例えば、ＲＥＧ＃０および＃１）は共通探索空間として使用され得る。他の例えば、ＲＥＧプールでＣＣＥは共通探索空間として使用され得、ＲＥＧプールの最初のＯＦＤＭシンボルでＣＣＥで設定されていないＲＥＧ（例えば、ＲＥＧ＃０および＃１）はＰＤＣＣＣＨとして使用され得る。
【０１２４】
ＲＥＧプール内の特定のＯＦＤＭシンボルで探索空間に含まれないＲＥＧが存在する場合、該当ＲＥＧを除いた残りのＲＥＧでＲＥＧプールが構成されてもよい。方法６００−１によりインターリービング動作が実行される場合、該当ＲＥＧを除いた残りのＲＥＧに対してインターリービングパターンが定義され得る。例えば、図７のＲＥＧプールの最初のＯＦＤＭシンボルのためのインターリービングパターンは、ＲＥＧ＃０および＃１を除いた残りの４個のＲＥＧのために定義され得る。この場合、ＲＥＧプールの最初のＯＦＤＭシンボルでインターリーバーの長さまたは大きさは４と設定され得る。またはＲＥＧプールの最初のＯＦＤＭシンボルでＲＥＧ＃０および＃１はダミー（ｄｕｍｍｙ）ＲＥＧで設定され得、２個のダミー（ｄｕｍｍｙ）ＲＥＧおよび残りの４個のＲＥＧのためのインターリービングパターン（例えば、長さ６のインターリーバー）が定義され得る。
【０１２５】
一つの制御資源集合内に共通探索空間と端末−特定の探索空間が共存し、共通探索空間は図６に図示された探索空間（例えば、ＣＣＥ＃０および＃１）であり、端末−特定の探索空間は図７に図示された探索空間（例えば、ＣＣＥ＃０〜＃２）の場合、制御資源集合の２番目のＯＦＤＭシンボルは二つの探索空間によって共有されるため、共有される資源領域で二つの探索空間のＰＤＣＣＨ候補が衝突する可能性がある。ただし、方法６００−４によると、端末−特定の探索空間のＣＣＥ＃０は共通探索空間のＣＣＥ＃１が占有するＲＥＧ以外のＲＥＧにマッピングされるため、二つの探索空間（例えば、二つのＣＣＥ）の間の衝突が発生しないこともある。したがって、ＰＤＣＣＨ候補間の衝突確率を減少させることによって、ダウンリンク制御領域の有効伝送容量の増大効果およびＰＤＣＣＨ受信性能の向上効果が獲得され得る。
【０１２６】
図８は、ＲＥＧプール内で設定された探索空間の第３実施例を図示した概念図である。
【０１２７】
図８を参照すると、探索空間は方法６００−１および方法６００−２に基づいて設定され得る。図８の制御資源集合でＲＥＧインデックスは、図５の制御資源集合でＲＥＧインデックス（例えば、ＲＥＧ−レベル周波数インターリービングが実行された後のＲＥＧインデックス）と同じであり得る。制御資源集合の最初のＯＦＤＭシンボル（例えば、ＲＥＧ＃０〜＃５）と制御資源集合の２番目のＯＦＤＭシンボルでＲＥＧ＃０および＃１は他の用途（例えば、図６に図示された探索空間、他の物理チャネルおよび信号のために使用されるＲＥＧ）で使用され得る。ＲＥＧプールは制御資源集合の３個のＯＦＤＭシンボル（例えば、ＯＦＤＭシンボル＃１〜＃２）を含むことができ、ＲＥＧプールのＲＥＧインデックスはグローバルＲＥＧインデックスに変換され得る。
【０１２８】
例えば、ＲＥＧプールの最初のＯＦＤＭシンボルのインデクシング動作が完了した後に、ＲＥＧプールの２番目のＯＦＤＭシンボルの周波数帯域でインデクシング動作が実行され得、ＲＥＧプールの２番目のＯＦＤＭシンボルのインデクシングが完了した後にＲＥＧプールの３番目のＯＦＤＭシンボルの周波数帯域でインデクシング動作が実行され得る。ＲＥＧプールの最初のＯＦＤＭシンボルでＲＥＧ＃０および＃１は他の用途で使用されるが、ＲＥＧプールの最初のＯＦＤＭシンボルのすべてのＲＥＧ（例えば、ＲＥＧ＃０〜＃５）を含む探索空間（例えば、ＣＣＥ）が設定され得る。
【０１２９】
ＲＥＧプールの最初のＯＦＤＭシンボルで他の用途で使用されないＲＥＧ＃２〜＃５のためのグローバルＲＥＧインデックスが先に設定され得、その後にＲＥＧプールの最初のＯＦＤＭシンボルで他の用途で使用されるＲＥＧ＃０および＃１のためのグローバルＲＥＧインデックスが設定され得る（以下、「方法６００−５」とする）。ＯＦＤＭシンボルのそれぞれに属したＲＥＧの個数がＱ（例えば、６）であり、ＲＥＧプール内の２番目のＯＦＤＭシンボルでＲＥＧインデックスが「ｍ＝０、１、２、３、４、５」である場合、ＲＥＧプールの２番目のＯＦＤＭシンボルでグローバルＲＥＧインデックスｍ２は、「ｍ＋Ｑ（ｎ−１）（例えば、ｍ＋６）」に基づいて設定され得る。ここで、ｎはＲＥＧプールに属したＯＦＤＭシンボルのインデックスを指示することができる。ＯＦＤＭシンボルのそれぞれに属したＲＥＧの個数がＱ（例えば、６）であり、ＲＥＧプール内の３番目のＯＦＤＭシンボルでＲＥＧインデックスが「ｍ＝０、１、２、３、４、５」である場合、ＲＥＧプールの３番目のＯＦＤＭシンボルでグローバルＲＥＧインデックスｍ３は、「ｍ＋Ｑ（ｎ−１）（例えば、ｍ＋１２）」に基づいて設定され得る。
【０１３０】
一方、前述した図６に図示されたＣＣＥ＃０は、特定の共通ＤＣＩ（例えば、スロット設定情報）の伝送のために使用され得る。この場合、端末は共通ＤＣＩを制御資源集合の最初のＯＦＤＭシンボルでブラインド復号動作を遂行することなく受信することができる。一つのスロットで複数の共通ＤＣＩが伝送される場合、共通ＤＣＩ伝送に使用されるＰＤＣＣＨ候補の個数は共通ＤＣＩの個数に比例して増加し得る。
【０１３１】
図６〜図８に図示された実施例は分散的マッピング方法に基づいたＣＣＥ−ＲＥＧマッピング構造であり得、下記において局部的（ｌｏｃａｌｉｚｅｄ）マッピング方法に基づいたＣＣＥ−ＲＥＧマッピング構造を説明する。局部的マッピング方法が適用される場合、ＣＣＥを構成するＲＥＧは、時間区間および周波数帯域のうち少なくとも一つで連続的（例えば、最大限連続的）に設定され得る。局部的マッピング方法に基づいて設定されたＣＣＥは基地局が端末別に互いに異なるビームフォーミングを適用してＤＣＩを伝送する場合に適合し得る。
【０１３２】
周波数帯域で一つの制御資源集合はＭ個のＣＣＥで構成され得、周波数帯域で一つのＣＣＥはＫ個のＰＲＢで構成され得る。ここで、ＭおよびＫのそれぞれは整数であり得る。一つの制御資源集合を構成するＣＣＥおよび一つのＣＣＥを構成するＰＲＢのそれぞれは周波数帯域で連続または不連続であり得る。例えば、周波数ダイバーシティ利得を獲得するために、ＣＣＥおよびＰＲＢのそれぞれは周波数帯域で連続または不連続であり得、制御資源集合の設定情報のオーバーヘッドを最小化するためにＣＣＥおよびＰＲＢのそれぞれは周波数帯域で連続であり得る（以下、「７００−１」とする）。
【０１３３】
一方、制御資源集合またはＲＥＧプールは時間区間でＮ個のＯＦＤＭシンボルで構成され得、一つのＣＣＥは時間区間で一つのＯＦＤＭシンボルで構成され得る。ここで、Ｎは整数であり得る。したがって、一つの制御資源集合または一つのＲＥＧプールは、「Ｍ×Ｎ」個のＣＣＥで構成され得、「Ｍ×Ｎ」個のＣＣＥは、「Ｍ×Ｎ×Ｋ」個のＰＲＢに対応することができる（以下、「７００−２」とする）。Ｍ、ＮおよびＫのそれぞれは、制御資源集合（例えば、基本制御資源集合、追加制御資源集合）別またはＲＥＧプール別に異なるように設定され得る。端末に複数の帯域幅部分が設定される場合、Ｍ、ＮおよびＫのそれぞれは帯域幅部分別に異なるように設定され得る。Ｍ、ＮおよびＫのそれぞれの候補値は表１に記載されたヌメロロジー別に異なるように定義され得る。
【０１３４】
制御資源集合の時間区間および周波数帯域のそれぞれの大きさは基地局によって設定され得、基地局は制御資源集合の設定情報（例えば、時間区間の大きさ、周波数帯域の大きさ）をシグナリング手続きを通じて端末に通知することができる。ここで、シグナリング手続きは、物理階層の動的シグナリング手続き（例えば、ＤＣＩ伝送手続き）、半固定的シグナリング手続き（例えば、ＲＲＣシグナリング手続き、システム情報のブロードキャスティング手続き）等を含むことができる。例えば、方法７００−２が使用される場合、基地局はＭおよびＮを、シグナリング手続きを通じて端末に通知することができ、Ｋはあらかじめ設定された値が使用され得る。
【０１３５】
制御資源集合または制御資源集合に属するＲＥＧプール（以下、「制御資源集合」と通称する）内で探索空間は、全体の制御資源集合で設定され得る（以下、「方法７１０」とする）。または制御資源集合内で探索空間は制御資源集合の一部の領域で設定され得る（以下、「方法７２０」とする）。探索空間はＣＣＥ集成レベル別探索空間の和を意味し得る。ＣＣＥ集成レベル別探索空間の構成により方法７１０は、方法７１０−１〜方法７１０−３に分類され得る。方法７１０−１でＣＣＥ集成レベル別探索空間の和は全体の制御資源集合であり得、方法７１０−２で少なくとも一つのＣＣＥ集成レベルの探索空間は残りのＣＣＥ集成レベルの探索空間を含む上位集合（ｓｕｐｅｒｓｅｔ）であり得る。方法７１０−３で、ＣＣＥ集成レベル別探索空間は制御資源集合の一部であり得、全体のＣＣＥ集成レベルの探索空間の和は全体の制御資源集合であり得る。
【０１３６】
図９ａは制御資源集合内の探索空間の第１実施例を図示した概念図、図９ｂは制御資源集合内の探索空間の第２実施例を図示した概念図、図９ｃは制御資源集合内の探索空間の第３実施例を図示した概念図である。
【０１３７】
図９ａ〜図９ｃを参照すると、制御資源集合は時間区間で２個のＣＣＥで構成され得、周波数帯域で８個のＣＣＥで構成され得る。ＣＣＥインデックスは周波数帯域で先に設定され得、その後に時間区間で設定され得る。図９ａに図示された探索空間は方法７１０−１に基づいて設定され得る。図９ａでＣＣＥ集成レベル（Ｌ）２の探索空間は８個のＰＤＣＣＨ候補（例えば、ＰＤＣＣＨ候補＃０〜＃７）で構成され得、８個のＰＤＣＣＨ候補の和は全体の制御資源集合（例えば、全体のＲＥＧプール）であり得る。図９ａでＣＣＥ集成レベル（Ｌ）４の探索空間は４個のＰＤＣＣＨ候補（例えば、ＰＤＣＣＨ候補＃０〜＃３）で構成され得、４個のＰＤＣＣＨ候補の和は全体の制御資源集合（例えば、全体のＲＥＧプール）であり得る。
【０１３８】
図９ｂに図示された探索空間は方法７１０−２に基づいて設定され得る。図９ｂでＣＣＥ集成レベル（Ｌ）２の探索空間は４個のＰＤＣＣＨ候補（例えば、ＰＤＣＣＨ候補＃０〜＃３）で構成され得る。図９ｂでＣＣＥ集成レベル（Ｌ）４の探索空間は４個のＰＤＣＣＨ候補（例えば、ＰＤＣＣＨ候補＃０〜＃３）で構成され得、４個のＰＤＣＣＨ候補の和は全体の制御資源集合（例えば、全体のＲＥＧプール）であり得る。
【０１３９】
図９ｃに図示された探索空間は方法７１０−３に基づいて設定され得る。図９ｃでＣＣＥ集成レベル（Ｌ）２の探索空間は４個のＰＤＣＣＨ候補（例えば、ＰＤＣＣＨ候補＃０〜＃３）で構成され得、４個のＰＤＣＣＨ候補は制御資源集合（例えば、ＲＥＧプール）の一部であり得る。図９ｃでＣＣＥ集成レベル（Ｌ）４の探索空間は２個のＰＤＣＣＨ候補（例えば、ＰＤＣＣＨ候補＃０〜＃１）で構成され得、２個のＰＤＣＣＨ候補の和は制御資源集合（例えば、ＲＥＧプール）の一部であり得る。図９ｃでＣＣＥ集成レベル（Ｌ）２による４個のＰＤＣＣＨ候補と図９ｃでＣＣＥ集成レベル（Ｌ）４による２個のＰＤＣＣＨ候補の和は全体の制御資源集合（例えば、全体のＲＥＧプール）であり得る。
【０１４０】
一方、ＣＣＥ集成レベル（Ｌ）が２Ｘで設定される場合、制御資源集合の時間区間および周波数帯域の大きさの制約は増加し得る。ここで、Ｘは整数であり得る。制御資源集合は周波数帯域で２Ｙ個のＣＣＥで構成され得、制御資源集合は時間区間で２Ｚ個のＣＣＥで構成され得る（以下、「方法８００−１」とする）。ここで、ＹおよびＺのそれぞれは整数であり得る。または制御資源集合は周波数帯域で２Ｙ個のＣＣＥで構成され得、制御資源集合は時間区間でＺ個のＣＣＥで構成され得る（以下、「方法８００−２」とする）。制御資源集合が方法８００−１または方法８００−２に基づいて設定される場合、ＣＣＥ−ＲＥＧマッピング規則は簡単になり得る。図９ａ〜図９ｃに図示された制御資源集合は方法８００−１に基づいて設定され得る。この場合、Ｙは３であり得、Ｚは１であり得る。また、制御資源集合は周波数帯域でＱ個のＰＲＢで構成され得る。ここで、Ｑは整数であり得る。
【０１４１】
図１０ａは局部的ＣＣＥ−ＲＥＧマッピングによるＣＣＥの第１実施例を図示した概念図、図１０ｂは局部的ＣＣＥ−ＲＥＧマッピングによるＣＣＥの第２実施例を図示した概念図、図１０ｃは局部的ＣＣＥ−ＲＥＧマッピングによるＣＣＥの第３実施例を図示した概念図である。
【０１４２】
図１０ａ〜図１０ｃを参照すると、ＲＥＧプールは２個のＯＦＤＭシンボルを含むことができ、２個のＯＦＤＭシンボルのそれぞれに９個のＲＥＧ（例えば、９個のＰＲＢ）が設定され得る。一つのＣＣＥは４個のＲＥＧを含むことができる。ＯＦＤＭシンボル別ＲＥＧの個数がＱであり、ＣＣＥ別ＲＥＧの個数がＫである場合、「Ｑ＝９、Ｋ＝４」であり得る。ＲＥＧインデックスは周波数帯域で先に設定され得、その後に時間区間で設定され得る。ＲＥＧインデックスの順に４個のＲＥＧが一つのＣＣＥにマッピングされる場合、ＱはＫに分けられない場合もある。
【０１４３】
図１０ａのＯＦＤＭシンボルのそれぞれでＲＥＧインデックスの順序（例えば、増減方向）は同じであり得る。図１０ａでＣＣＥ＃０はＲＥＧ＃０〜＃３を含むことができ、ＣＣＥ＃１はＲＥＧ＃４〜＃７を含むことができ、ＣＣＥ＃２はＲＥＧ＃８〜＃１１を含むことができる。図１０ｂのＯＦＤＭシンボルのそれぞれでＲＥＧインデックスの順序（例えば、増減方向）は異なり得る。例えば、ＯＦＤＭシンボル＃０でＲＥＧインデックスは周波数が高まるほど増加し得、ＯＦＤＭシンボル＃１でＲＥＧインデックスは周波数が低くなるほど増加し得る。図１０ｂでＣＣＥ＃０はＲＥＧ＃０〜＃３を含むことができ、ＣＣＥ＃１はＲＥＧ＃４〜＃７を含むことができ、ＣＣＥ＃２はＲＥＧ＃８〜＃１１を含むことができる。ＲＥＧインデックスの設定方法の差によって、図１０ｂのＣＣＥ＃２は図１０ａのＣＣＥ＃２に比べて周波数帯域で局部的に設定され得る。
【０１４４】
制御資源集合でＤＣＩがＣＣＥ＃２を通じて端末に伝送される場合、図１０ａで該当ＤＣＩのための端末−特定のＤＭＲＳはＣＣＥ＃２によって占有される４個のＰＲＢを通じて伝送され得、図１０ｂで該当ＤＣＩのための端末−特定のＤＭＲＳはＣＣＥ＃２によって占有される３個のＰＲＢを通じて伝送され得る。したがって、図１０ｂに図示された実施例は図１０ａに図示された実施例に比べてＤＭＲＳオーバーヘッドが減少し得、図１０ｂの周波数帯域で３個のＰＲＢが連続するため端末のチャネル推定性能も向上し得る。
【０１４５】
図１０ｃのＯＦＤＭシンボルのそれぞれで９個のＲＥＧのうち４で割れない１個のＲＥＧはインデクシングから除外され得、ＲＥＧインデックスが設定されていないＲＥＧは探索空間から除外され得る。図１０ｃのＯＦＤＭシンボルのそれぞれでＲＥＧインデックスの順序（例えば、増減方向）は同じであり得る。または図１０ｃのＯＦＤＭシンボルのそれぞれでＲＥＧインデックスの順序は異なり得る。図１０ｃでＣＣＥのそれぞれは一つのＯＦＤＭシンボル内で設定され得、ＣＣＥは格子構造を有し得る。この場合、互いに異なるＯＦＤＭシンボルに位置したＣＣＥは効率的に集成され得る。例えば、ＣＣＥ＃０とＣＣＥ＃２は同一周波数帯域にマッピングされるため、集成されたＣＣＥ＃０および＃２を通じてＰＤＣＣＨを受信するために、端末は４個のＰＲＢ（すなわち、ＲＥＧ）に対するチャネル推定を遂行できる。それに対し、図１０ａでＣＣＥ＃０とＣＣＥ＃２が集成される場合、集成されたＣＣＥ＃０および＃２を通じてＰＤＣＣＨを受信するために、端末は５個のＰＲＢ（すなわち、ＲＥＧ）に対するチャネル推定を遂行しなければならない。また、一つのＲＥＧプールのＯＦＤＭシンボルでＫで割れれない残りのＲＥＧの和がＫ以上である場合、残りのＲＥＧを使用してＣＣＥが追加して構成され得る。
【０１４６】
前述した制御資源集合の大きさを指示する情報は、制御資源集合の設定に必要なパラメーター（以下、「設定パラメーター」とする）の一つであり得る。また、設定パラメーターはヌメロロジー、ＤＭＲＳタイプ、時間−周波数資源の位置、ＣＣＥマッピング規則、ＣＣＥ集成レベル、伝送モード、ＤＭＲＳポートの個数、制御チャネルとデータチャネル間のＤＭＲＳ共有の有無を指示する情報などを含むことができる。制御資源集合がＲＲＣシグナリング手続きによって設定される場合、設定パラメーターは個別的に端末に設定され得る。設定パラメーターが制限されたビットで構成されるチャネル（例えば、ＰＢＣＨ）を通じて伝送される場合、設定パラメーターの一部又は全部に対していくつかの組み合わせがあらかじめ定義され得、組み合わせのうちの一つが端末に設定され得る。
【０１４７】
複数の制御資源集合または複数のＲＥＧプールは同じ資源領域に重なり得る。資源効率性を高めるために、複数の端末に同じ資源領域が追加制御資源集合で設定され得る。この場合、互いに異なる端末の追加制御資源集合の全体の領域または一部の領域が重なり得る。追加制御資源集合が端末−特定のシグナリング手続きによって設定される場合、端末は他の端末の追加制御資源集合のための設定パラメーターが分からないため、追加制御資源集合の間の重なりの有無も確認することができない。
【０１４８】
一方、一つの端末のための複数の制御資源集合が重なるように設定される場合、重なった複数の制御資源集合のための端末の動作が定義され得る。この場合、端末は複数の制御資源集合が重なっていない場合と同様に複数の制御資源集合のそれぞれでモニタリング動作を遂行できる。または重なった複数の制御資源集合の間の優先順位が設定され得、端末は高い優先順位を有する制御資源集合の全体の探索空間をモニタリングすることができ、低い優先順位を有する制御資源集合の全体の探索空間のうち、一部の領域（例えば、複数の制御資源集合の間に重なっていない領域）をモニタリングすることができる。一つの端末のための基本制御資源集合と追加制御資源集合が重なるように設定される場合、基本制御資源集合の優先順位は追加制御資源集合の優先順位より高いように設定され得る。
【０１４９】
・ＰＤＣＣＣＨとＰＤＣＣＨの共存方法
【０１５０】
ＰＤＣＣＣＨは制御資源集合または制御資源集合に属するＲＥＧプール（以下、「制御資源集合」と通称する）内で設定され得る。ＰＤＣＣＣＨは共通ＤＣＩの伝送のために使用され得るため、ＰＤＣＣＣＨは制御資源集合の前方領域に位置することができる。例えば、ＰＤＣＣＣＨは制御資源集合の最初のＯＦＤＭシンボルで周波数帯域に分散され得る。ＰＤＣＣＣＨはＬＴＥのＰＣＦＩＣＨと類似するように配置され得る。ＰＤＣＣＣＨと探索空間は一つのＯＦＤＭシンボルに位置し得、この場合に探索空間とＰＤＣＣＣＨは次の通り設定され得る。
【０１５１】
図１１ａは探索空間とＰＤＣＣＣＨの設定方法の第１実施例を図示した概念図、図１１ｂは探索空間とＰＤＣＣＣＨの設定方法の第２実施例を図示した概念図、図１１ｃは探索空間とＰＤＣＣＣＨの設定方法の第３実施例を図示した概念図、図１１ｄは探索空間とＰＤＣＣＣＨの設定方法の第４実施例を図示した概念図である。
【０１５２】
図１１ａ〜図１１ｄを参照すると、一つのＯＦＤＭシンボルで探索空間とＰＤＣＣＣＨが存在し得る。例えば、探索空間はＰＤＣＣＣＨが設定された資源領域以外の残りの資源領域に設定され得る。ここで、ＣＣＥ−ＲＥＧマッピング構造は局部的マッピング方法に基づいて設定され得る。図１１ａでＰＤＣＣＣＨが存在しなくてもよく、ＲＥＧ＃０〜＃３はＣＣＥ＃０にマッピングされ得、ＲＥＧ＃４〜＃７はＣＣＥ＃１にマッピングされ得る。
【０１５３】
図１１ｂでＰＤＣＣＣＨは４番目のＲＥＧに位置することができる。この場合、全体のＲＥＧのうち４番目のＲＥＧを除いた残りのＲＥＧにインデックスが設定され得、探索空間は残りのＲＥＧで構成され得る。ＣＣＥに含まれるＲＥＧの個数を４個に合わせるために、４番目のＲＥＧの代わりに他のＲＥＧがＣＣＥ＃０にマッピングされ得る。例えば、ＲＥＧ＃０〜＃３はＣＣＥ＃０にマッピングされ得、ＲＥＧ＃４〜＃７はＣＣＥ＃１にマッピングされ得る。したがって、例外的なＲＥＧ（例えば、ＰＤＣＣＣＨが設定されたＲＥＧ）が存在する場合にも、ＣＣＥに含まれるＲＥＧの個数は同一に維持されるため、ＰＤＣＣＨ候補は均一な性能を有することができる。
【０１５４】
図１１ｃでＰＤＣＣＣＨは４番目のＲＥＧに位置することができる。この場合、全体のＲＥＧのうち４番目のＲＥＧを除いた残りのＲＥＧにインデックスが設定され得、探索空間は残りのＲＥＧで構成され得る。すなわち、例外的なＲＥＧ（例えば、ＰＤＣＣＣＨが設定されたＲＥＧ）が存在する場合にも、ＣＣＥ−ＲＥＧマッピング方法は変更されなくてもよい。したがって、ＲＥＧ＃０〜＃２はＣＣＥ＃０にマッピングされ得、ＲＥＧ＃３〜＃６はＣＣＥ＃１にマッピングされ得る。
【０１５５】
一方、ＰＤＣＣＣＨと探索空間は互いに重なるように構成され得、この場合にＰＤＣＣＣＨと探索空間間の優先順位によりパンクチャリング（ｐｕｎｃｔｕｒｉｎｇ）機能が適用され得る。ＰＤＣＣＣＨを通じて伝送される情報の重要性が探索空間を通じて伝送される情報の重要性より高く、ＰＤＣＣＣＨと探索空間が共存する場合、探索空間はＰＤＣＣＣＨによってパンクチャリングされ得る。図１１ｄでＰＤＣＣＣＨが４番目のＲＥＧに位置する場合、４番目のＲＥＧは、「ＲＥＧ＃３」にインデクシングされ得る。ＲＥＧ＃３を通じてのＰＤＣＣＣＨの伝送とＣＣＥ＃０を通じてのＰＤＣＣＨの伝送が同時に実行される場合、ＣＣＥ＃０内の４番目のＲＥＧはＰＤＣＣＣＨによってパンクチャリングされ得る。図１１ｄで端末はＰＤＣＣＣＨの存在の有無にかかわらず同じＣＣＥ−ＲＥＧマッピングが使用されると推定することができる。したがって、ＲＲＣ＿休止状態の端末は、ＰＤＣＣＣＨの設定情報を獲得しなかった場合にも同じＣＣＥ−ＲＥＧマッピング方法が使用されると判断することができるため、ＰＤＣＣＨのモニタリング性能が向上し得る。
【０１５６】
・ＣＣＥ集成レベル
【０１５７】
ＰＤＣＣＨのリンク適応伝送のために多様なＣＣＥ集成レベルが定義され得る。例えば、セル境界に位置した端末のために相対的に高いＣＣＥ集成レベルが必要となり得、セル中心に位置した端末のために相対的に低いＣＣＥ集成レベルが必要となり得る。また、端末−特定のＤＣＩを受信する端末のために相対的に低いＣＣＥ集成レベルが必要となり得、共通ＤＣＩを受信する端末のために相対的に高いＣＣＥ集成レベルが必要となり得る。
【０１５８】
したがって、基地局は探索空間別にＰＤＣＣＨのブラインド復号動作のためのＣＣＥ集成レベルを設定することができ、設定されたＣＣＥ集成レベルをシグナリング手続きを通じて端末に通知することができる。基地局は追加制御資源集合を通じて設定される探索空間のためのＣＣＥ集成レベルを設定することができ、基本制御資源集合を通じて設定される探索空間のためのＣＣＥ集成レベルは規格であらかじめ定義され得る。ＣＣＥ集成レベルは１、２、４、８などと設定され得る。ＵＲＬＬＣのような高信頼送信のためにＣＣＥ集成レベルは８より大きい値（例えば、１６）で設定され得る。資源使用効率を向上させるためにＣＣＥ集成レベルは２の指数乗の値ではなく偶数（例えば、６、１０等）で設定され得る。
【０１５９】
・可変的探索空間
【０１６０】
制御資源集合は限定された特定の周波数領域内で設定され得る。それに対し、データ伝送のために使用される周波数領域は制御資源集合が設定された特定の周波数帯域より広くてもよい。したがって、端末の電力消耗を減少させるために端末の動作周波数領域が調整され得る。例えば、端末はダウンリンク制御チャネルをモニタリングするために、減少した帯域幅（例えば、狭帯域）で信号の受信動作を遂行することができ、データを送受信するために、増加した帯域幅（例えば、広帯域）でデータの送受信動作を遂行できる。これを通じて、ダウンリンク制御チャネルの受信手続きでＡＤＣ（ａｎａｌｏｇ  ｔｏ  ｄｉｇｉｔａｌ  ｃｏｎｖｅｒｔｅｒ）サンプリング速度、ＦＦＴ大きさなどを下げることによって端末のＲＦモジュールで電力消耗が減少し得る。端末が広帯域から狭帯域にＲＦ周波数を再調整するために必要な時間は、「ＴＷ、Ｎ」と指称され得、端末が狭帯域から広帯域にＲＦ周波数を再調整するために必要な時間は、「ＴＮ、Ｗ」と指称され得る。ＴＷ、ＮおよびＴＮ、Ｗそれぞれは中心周波数が変更される場合に増加し得る。
【０１６１】
端末は信号を伝送しない区間（例えば、スケジューリングされていないデータチャネル、ＴＤＤ保護区間など）を使用して動作周波数領域を変更することができる。また、端末の動作周波数領域の変更のためにギャップ（ｇａｐ）が定義され得る。端末はギャップで信号の送受信動作の実行なしに動作周波数領域を変更することができ、ＲＦモジュールを調整することができる。ギャップは明示的方法または暗示的方法で設定され得る。
【０１６２】
ギャップは連続的なスロット、連続的なミニスロット、連続的なＯＦＤＭシンボルで構成され得る。ＴＷ、ＮおよびＴＮ、Ｗそれぞれは数〜数十μｓ以内に設定され得る。例えば、端末の動作周波数領域の調整のために２０μｓが必要であり得る。サブキャリア間隔が１５ｋＨｚである場合、２０μｓは一つのＯＦＤＭシンボルの長さの１／３に該当するため、ギャップは一つのＯＦＤＭシンボルの長さより短く設定され得る。
【０１６３】
ギャップが短いほど端末の最大データ伝送率（ｐｅａｋ  ｄａｔａ  ｒａｔｅ）とスペクトル効率が向上され得るため、ＴＷ、ＮおよびＴＮ、Ｗそれぞれは一つのＯＦＤＭシンボルの長さより短く設定され得る。広帯域から狭帯域に動作周波数領域を調整するために使用されるギャップは、「第１ギャップ」と指称され得、第１ギャップの長さは、「ＧＷ、Ｎ」と指称され得る。狭帯域から広帯域に動作周波数領域を調整するために使用されるギャップは、「第２ギャップ」と指称され得、第２ギャップの長さは、「ＧＮ、Ｗ」と指称され得る。
【０１６４】
端末の動作周波数領域の調節のために使用されるサブ（ｓｕｂ）シンボルレベルのギャップ（例えば、一つのＯＦＤＭシンボルの長さより短いギャップ）の設定のために、サブキャリア間隔の増加により設定された短いＯＦＤＭシンボルがギャップとして設定され得る。例えば、サブキャリア間隔が１５ｋＨｚから３０ｋＨｚに変更された場合、サブキャリア間隔１５ｋＨｚで一つのＯＦＤＭシンボルの長さはサブキャリア間隔３０ｋＨｚで二つのＯＦＤＭシンボルの長さに対応するため、サブキャリア間隔３０ｋＨｚで二つのＯＦＤＭシンボルのうち一つのＯＦＤＭシンボルはギャップとして使用され得、残りの一つのＯＦＤＭシンボルは信号の送受信のために使用され得る。
【０１６５】
制御資源集合または制御資源集合に属するＲＥＧプール（以下、「制御資源集合」と通称する）の時間区間のうち一部の領域はギャップとして使用され得る。ここで、制御資源集合は狭帯域で設定され得、データ領域（例えば、ＰＤＳＣＨの資源領域、ＰＵＳＣＨの資源領域など）は狭帯域または広帯域で設定され得る。この場合、時間軸で制御資源集合の前方領域に第１ギャップが位置することができ、時間軸で制御資源集合の後方領域に第２ギャップが位置することができる。
【０１６６】
図１２は、データ領域と制御領域の設定方法の第１実施例を図示した概念図である。
【０１６７】
図１２を参照すると、一つのスロットで狭帯域のダウンリンク制御領域（例えば、制御資源集合）が設定され得、一つのスロットで広帯域のデータ領域が設定され得る。データ領域のためのサブキャリア間隔はｆ０であり得、一つのスロットは１４個のＯＦＤＭシンボルを含むことができる。ダウンリンク制御領域はＯＦＤＭシンボル＃０および＃１に設定され得る。ダウンリンク制御領域のためのサブキャリア間隔はｆ１であり得、ｆ１はｆ０より大きくてもよい。例えば、ｆ１はｆ０の２倍であり得、この場合にダウンリンク制御領域は４個のＯＦＤＭシンボルを占有することができる。
【０１６８】
図１３ａは制御領域内に設定されたギャップの第１実施例を図示した概念図、図１３ｂは制御領域内に設定されたギャップの第２実施例を図示した概念図である。
【０１６９】
図１３ａおよび図１３ｂを参照すると、狭帯域のダウンリンク制御領域（例えば、制御資源集合、探索空間）が設定され得、狭帯域または広帯域のデータ領域が設定され得、ダウンリンク制御領域の一部の領域はギャップとして設定され得る。データ領域のためのサブキャリア間隔はｆ０であり得、ダウンリンク制御領域のためのサブキャリア間隔はｆ１であり得る。例えば、ｆ１はｆ０の２倍であり得る。この場合、データ領域で一つのＯＦＤＭシンボルはダウンリンク制御領域で二つのＯＦＤＭシンボルと対応することができ、ダウンリンク制御領域は４個のＯＦＤＭシンボルを占有することができる。
【０１７０】
図１３ａでダウンリンク制御領域の後にスケジューリングされた広帯域のデータ領域（例えば、ＰＤＳＣＨの資源領域）が存在するため、端末は広帯域データ領域をモニタリングするために動作周波数帯域を再調整することができる。したがって、ダウンリンク制御領域の最後のＯＦＤＭシンボルはギャップ（例えば、第２ギャップ）として設定され得る。すなわち、データ領域の帯域幅がダウンリンク制御領域の帯域幅より大きい場合に、ダウンリンク制御領域の最後のＯＦＤＭシンボルはギャップとして設定され得る。ダウンリンク制御領域以前のスロットでスケジューリングされたデータ領域（例えば、ＰＤＳＣＨの資源領域）は存在しなくてもよい。この場合、ダウンリンク制御領域以前のスロットで広帯域のデータ領域をモニタリングする必要がないため、端末の帯域幅はすでに狭帯域として設定されている可能性がある。またはダウンリンク制御領域以前のスロットで端末の帯域幅は広帯域から狭帯域に変更され得る。したがって、ダウンリンク制御領域の最初のＯＦＤＭシンボルはギャップとして設定されなくてもよい。
【０１７１】
図１３ｂでダウンリンク制御領域以前のスロットでスケジューリングされた広帯域のデータ領域が存在するため、ダウンリンク制御領域の最初のＯＦＤＭシンボルはギャップ（例えば、第１ギャップ）として設定され得る。ダウンリンク制御領域が属したスロット内にスケジューリングされた狭帯域のデータ領域が存在し得る。ダウンリンク制御領域が属したスロット内に位置したデータ領域の帯域幅はダウンリンク制御領域の帯域幅以下であり得る。したがって、端末は狭帯域のデータ領域をモニタリングするために動作周波数帯域を再調整しなくてもよい。
【０１７２】
一方、基地局はギャップ設定情報（例えば、ギャップの存在の有無、ギャップの位置など）を明示的または暗示的シグナリング手続きを通じて端末に通知することができる。ギャップの存在および位置は、ダウンリンク制御領域の以前の時間区間または以後の時間区間でスケジューリングされたデータ領域の存在およびデータ領域によって占有される周波数帯域により暗示的に設定され得る。例えば、端末はダウンリンク制御領域の以前の時間区間で広帯域のデータ領域（例えば、ダウンリンク制御領域によって占有される周波数領域以外の周波数領域を占有するデータ領域）が存在する場合に、ダウンリンク制御領域の最初のＯＦＤＭシンボルからＰ個のＯＦＤＭシンボルをギャップとして推定することができる。また、端末はダウンリンク制御領域の以後の時間区間で広帯域のデータ領域（例えば、ダウンリンク制御領域によって占有される周波数領域以外の周波数領域を占有するデータ領域）が存在する場合に、ダウンリンク制御領域の最後Ｑ個のＯＦＤＭシンボルをギャップとして推定することができる。
【０１７３】
ＰおよびＱのそれぞれはダウンリンク制御領域のヌメロロジーに基づいて決定され得る。図１３ａでＱは１に設定され得、図１３ｂでＰは１に設定され得る。ＰおよびＱのそれぞれは上位階層のシグナリング手続きを通じて端末に設定され得る。端末はギャップで動作周波数領域を再調整することができ、ギャップでＰＤＣＣＨモニタリングを遂行しないことがある。制御資源集合内の探索空間のうち一部がギャップと推定される場合、端末は該当ギャップ区間を除いた残りの探索空間でモニタリング動作を遂行できる。ここで、探索空間はギャップの設定により動的に変更され得る。
【０１７４】
一方、ギャップの存在および位置は、データ領域（例えば、ＰＤＳＣＨの資源領域）ではない他の物理チャネル（例えば、物理信号）の存在および他の物理チャネルによって占有される周波数領域に基づいて決定され得る。ギャップは明示的に定義され得るか、ギャップで端末の動作が定義され得る。例えば、ギャップで端末はＰＤＣＣＨのブラインド復号動作を遂行しないことがあき、信号受信手続きを遂行しないことがある。制御資源集合の以前の時間区間および以後の時間区間のうち少なくとも一つにスケジューリングされたデータ領域（例えば、ＰＤＳＣＨの資源領域）が存在する場合、制御資源集合を通じてＤＣＩを獲得していない端末はデータチャネルを受信できないことがある。この場合、基地局は端末のためのギャップが存在すると判断し、端末はギャップが存在しないと判断するため、端末はさらに広い区間でＰＤＣＣＨモニタリング動作を遂行できる。前述したギャップ設定情報のシグナリング手続きとギャップの存在および位置の推定手続きは、サブキャリア間隔（例えば、制御資源集合およびデータ領域のサブキャリア間隔）にかかわらず適用され得、追加制御資源集合だけでなく基本制御資源集合のために使用され得る。
【０１７５】
また、データ領域の一部の資源はギャップとして設定され得る。例えば、データ領域の最初のＯＦＤＭシンボルからＰ個のＯＦＤＭシンボルはギャップとして設定され得、データ領域の最後Ｑ個のＯＦＤＭシンボルはギャップとして設定され得る。データ領域のギャップ設定情報のシグナリング手続きは前述した制御資源集合のギャップ設定情報のシグナリング手続きと同一または類似し得、データ領域のギャップの存在および位置の推定手続きは前述した制御資源集合のギャップの存在および位置の推定手続きと同一または類似し得る。例えば、データ領域内のギャップの存在および位置は、ダウンリンク制御領域の以前の時間区間または以後の時間区間でスケジューリングされたデータ領域の存在およびデータ領域によって占有される周波数資源により設定され得る。また、ギャップはダウンリンク制御領域およびデータ領域のすべてにおいて設定され得る。
【０１７６】
・制御資源集合内でのデータチャネルの伝送方法
【０１７７】
制御資源集合または制御資源集合に属するＲＥＧプール（以下、「制御資源集合」と通称する）内に形成される探索空間のモニタリング区間ごとに伝送されるＤＣＩのペイロード（ｐａｙｌｏａｄ）の大きさおよび個数は異なり得る。制御資源集合およびそれに対応する探索空間が半固定的に設定される場合、特定の時間区間で制御資源集合で設定された資源が浪費され得る。したがって、制御資源集合で制御情報だけでなくデータチャネルが伝送され得る。
【０１７８】
図１４は、データチャネルのスケジューリング方法の第１実施例を図示した概念図である。
【０１７９】
図１４を参照すると、制御資源集合のサブキャリア間隔はデータチャネル（例えば、ＰＤＳＣＨ）のサブキャリア間隔と同じであり得、基地局は制御資源集合を通じてデータチャネルのスケジューリング情報を含むＤＣＩを端末に伝送することができる。ＤＣＩによってスケジューリングされる資源領域の組み合わせは多様に設定され得る。例えば、「Ｂ＋Ｅ」資源領域（例えば、制御資源集合が位置する時間区間以外に位置する資源領域）はＤＣＩによってスケジューリングされ得る。資源効率性を向上させるために、制御資源集合が位置する時間区間内の資源領域（例えば、Ａ資源領域、Ｃ資源領域、Ｄ資源領域など）もＤＣＩによってスケジューリングされ得る。
【０１８０】
「Ｃ＋Ｄ＋Ｅ」資源領域がＤＣＩによってスケジューリングされる場合、ＤＣＩとデータチャネルはＦＤＭ（ｆｒｅｑｕｅｎｃｙ  ｄｉｖｉｓｉｏｎ  ｍｕｌｔｉｐｌｅｘｉｎｇ）方式で伝送され得る。「Ａ＋Ｂ」資源領域または、「Ａ＋Ｂ＋Ｄ＋Ｅ」資源領域がＤＣＩによってスケジューリングされる場合、ＤＣＩとデータチャネルはＴＤＭ方式で伝送され得る。「Ｄ＋Ｅ」資源領域がＤＣＩによってスケジューリングされる場合、ＤＣＩによって占有される時間−周波数資源はデータチャネルによって占有される時間−周波数資源と異なり得る。Ａ、Ｂ、Ｃ、ＤおよびＥ資源領域のそれぞれは少なくとも一つのＰＲＢで構成され得、基地局はシグナリング手続きを通じてデータチャネル（例えば、資源領域の組み合わせで構成されるデータチャネル）のスケジューリング情報（例えば、データチャネルに含まれたＰＲＢの個数、データチャネルの開始ＯＦＤＭシンボルの位置など）を端末に通知することができる。
【０１８１】
例えば、基地局はデータチャネルの開始ＯＦＤＭシンボルの位置を指示する情報を含むＤＣＩを端末に伝送することができる。ここで、ＤＣＩはデータチャネルのスケジューリング情報を含む端末−特定のＤＣＩであり得る。すなわち、該当ＤＣＩフォーマットがＣ−ＲＮＴＩでスクランブリングされるＣＲＣを含むことができる。データチャネルの開始ＯＦＤＭシンボルの位置を指示する情報は、データチャネルの開始ＯＦＤＭシンボルのスロットまたはミニスロット内でのインデックス、ＤＣＩが伝送されるＯＦＤＭシンボルのうちいずれか一つのＯＦＤＭシンボルとデータチャネルの開始ＯＦＤＭシンボル間のオフセット（以下、「シンボルオフセット」とする）等であり得る。データチャネルの開始ＯＦＤＭシンボルの位置がデータチャネルの開始ＯＦＤＭシンボルのスロットまたはミニスロット内でのインデックスによって指示される方法は、「方法９００−１」と指称され得、データチャネルの開始ＯＦＤＭシンボルの位置がシンボルオフセットによって指示される方法は、「方法９００−２」と指称され得る。
【０１８２】
方法９００−１で、スロットがＮ個のＯＦＤＭシンボルで構成される場合、ＯＦＤＭシンボルのスロット内でのインデックスは０からＮ−１までの値のうち一つであり得る。方法９００−１で、ミニスロットがＭ個のＯＦＤＭシンボルで構成される場合、ＯＦＤＭシンボルのミニスロット内でのインデックスは０からＭ−１までの値のうち一つであり得る。方法９００−２で、ＤＣＩが伝送されるＯＦＤＭシンボルのうちいずれか一つのＯＦＤＭシンボルはＤＣＩが伝送されるＯＦＤＭシンボルのうち最初のＯＦＤＭシンボル、最後のＯＦＤＭシンボル、最後のＯＦＤＭシンボルのすぐ次のＯＦＤＭシンボルなどであり得る。方法９００−２で、ＯＦＤＭシンボルの間のオフセットはＯＦＤＭシンボルの時間軸インデックスの間の差を意味し得る。
【０１８３】
一方、制御資源集合のサブキャリア間隔はデータチャネルのサブキャリア間隔と異なるように設定され得る。この場合、データチャネルの開始ＯＦＤＭシンボルの位置を指示するために使用されるヌメロロジーが定義され得る。
【０１８４】
図１５は、データチャネルのスケジューリング方法の第２実施例を図示した概念図である。
【０１８５】
図１５を参照すると、ＤＣＩ（すなわち、ＤＣＩが伝送される制御チャネル）のサブキャリア間隔は、データチャネル（例えば、ＰＤＳＣＨ）のサブキャリア間隔と異なるように設定され得る。データチャネルのサブキャリア間隔はｆ０であり得る。この場合、第１データチャネルはＯＦＤＭシンボル＃１で開始され得、第２データチャネルはＯＦＤＭシンボル＃２で開始され得、第３データチャネルはＯＦＤＭシンボル＃０で開始され得る。データチャネルのスケジューリング情報を含むＤＣＩのサブキャリア間隔はｆ１に設定され得る。この場合、ＤＣＩはＯＦＤＭシンボル＃１で伝送され得る。ここで、ｆ１はｆ０より大きくてもよく、ｆ０で一つのＯＦＤＭシンボルはｆ１で二つのＯＦＤＭシンボルに対応することができる。例えば、ｆ０は１５ｋＨｚであり得、ｆ１は３０ｋＨｚであり得、同じＣＰオーバーヘッドはｆ０およびｆ１に適用され得る。
【０１８６】
基地局はデータチャネルをスケジューリングするためにｆ０のＯＦＤＭシンボル＃１、＃２および＃０を指示する情報を含むＤＣＩを端末に伝送することができる。またはＤＣＩが伝送されるｆ１のＯＦＤＭシンボルインデックス（例えば、ＯＦＤＭシンボル＃１）はｆ０のＯＦＤＭシンボルインデックス（例えば、ＯＦＤＭシンボル＃０）に変換され得る。例えば、ｆ１のＯＦＤＭシンボルインデックスがＮ１であり、Ｎ１に対応するｆ０のＯＦＤＭシンボルインデックスがＮ０である場合、「Ｎ０＝ｆｌｏｏｒ（Ｎ１／（ｆ１／ｆ０））」が定義され得る。基地局はＤＣＩの変換されたＯＦＤＭシンボルインデックスとデータチャネルの開始ＯＦＤＭシンボルインデックス間の差を指示するシンボルオフセットを含むＤＣＩを端末に伝送することができる．図１５の第２実施例で、シンボルオフセットは１、２および０を指示することができる。
【０１８７】
ＤＣＩによってデータチャネルが多重スロットにスケジューリングされる場合、方法９００−１および方法９００−２が使用され得る。データチャネルの開始ＯＦＤＭシンボルの位置はデータチャネルがスケジューリングされるスロットのそれぞれで同一に設定され得る。万一、特定のスロットに位置する制御資源集合が後述されるゼロパワー（ｚｅｒｏ−ｐｏｗｅｒ）制御資源集合で設定された場合、データチャネルは該当スロットで制御資源集合にレートマッチングされることによって伝送され得る。また、ＤＣＩによってデータチャネルがクロス−スロット（ｃｒｏｓｓ−ｓｌｏｔ）スケジューリングされる場合、方法９００−１および方法９００−２が使用され得る。ここで、データチャネルの開始ＯＦＤＭシンボルはデータチャネルがスケジューリングされるスロット内の特定のＯＦＤＭシンボルであり得る。
【０１８８】
一方、方法９００−１および方法９００−２で、データチャネルの開始ＯＦＤＭシンボルの候補は上位階層シグナリング手続き（例えば、ＲＲＣシグナリング手続き）により端末に設定され得る。例えば、基地局は上位階層シグナリング手続きを通じてデータチャネルの開始ＯＦＤＭシンボルの候補を端末に通知することができ、上位階層シグナリング手続きによって設定された開始ＯＦＤＭシンボルの候補のうち一つの開始ＯＦＤＭシンボルの候補を指示するＤＣＩを端末に伝送することができる。上位階層シグナリング手続きによって設定されるデータチャネルの開始ＯＦＤＭシンボルの候補が１個である場合、該当データチャネルの開始ＯＦＤＭシンボル候補はＤＣＩによって動的に指示されずにデータチャネルの開始ＯＦＤＭシンボルとして半固定的に使用され得る。
【０１８９】
端末に割り当てられるデータチャネルが時間軸で不連続的なＯＦＤＭシンボルを含む場合、データチャネルの資源領域はデータチャネルがマッピングされるＯＦＤＭシンボルの集合で表現され得る。この場合、データチャネルの開始ＯＦＤＭシンボルはデータチャネルがマッピングされるＯＦＤＭシンボルのうち最初のＯＦＤＭシンボルを指示することができる。
【０１９０】
方法９００−１および方法９００−２はスロット基盤のデータチャネルスケジューリングに使用され得る。一つのスロットが１４個のＯＦＤＭシンボル（例えば、ＯＦＤＭシンボル＃０〜＃１３）を含み、方法９００−１が使用される場合、データチャネルの開始ＯＦＤＭシンボルのスロット内でのインデックス候補はＯＦＤＭシンボル＃０〜＃１３であり得る。それに対し、方法９００−２が使用されてデータチャネルの開始ＯＦＤＭシンボルがＤＣＩが伝送されるＯＦＤＭシンボルのうち最後のＯＦＤＭシンボルとデータチャネルの開始ＯＦＤＭシンボルのオフセットで指示される場合、シンボルオフセットの候補は−Ｋ〜（１３−Ｋ）であり得る。ここで、ＫはＤＣＩが伝送されるＯＦＤＭシンボルのうち最後のＯＦＤＭシンボルのスロット内でのインデックスであり得る。例えば、ＤＣＩがＯＦＤＭシンボル＃２および＃３を通じて伝送される場合、開始ＯＦＤＭシンボルの候補は−３〜１０であり得る。
【０１９１】
方法９００−１および方法９００−２はミニスロット基盤のデータチャネルのスケジューリングのために使用され得る。ミニスロット基盤のデータチャネルのスケジューリングは２つの方法に基づいて実行され得る。最初の方法で、基地局はミニスロットの設定情報を端末に明示的に通知することができる。
【０１９２】
図１６は、データチャネルのスケジューリング方法の第３実施例を図示した概念図である。
【０１９３】
図１６を参照すると、一つのスロットは１４個のＯＦＤＭシンボルを含むことができ、一つのミニスロットは２個のＯＦＤＭシンボルを含むことができる。この場合、端末に伝送されるミニスロットの設定情報は一つのスロット内に２個のＯＦＤＭシンボルで構成される７個のミニスロットが設定されることを指示することができる。それぞれのミニスロット内でのＯＦＤＭシンボルインデックスは＃０および＃１と定義され得る。
【０１９４】
ミニスロット内のＯＦＤＭシンボルインデックスはＰＤＣＣＨモニタリング区間および周期の設定のために使用され得る。図１６の第３実施例で、基地局は制御資源集合または探索空間が各ミニスロット内のＯＦＤＭシンボル＃０に位置することと探索空間のモニタリング周期が２個のＯＦＤＭシンボル（すなわち、ミニスロットの長さ）であることを端末に通知することができる。また、方法９００−１によって、基地局はミニスロット内のＯＦＤＭシンボルインデックスを使用してデータチャネルの開始ＯＦＤＭシンボルを端末に通知することができる。
【０１９５】
図１６を参照すると、方法９００−１によって、ミニスロット＃１でＤＣＩはデータチャネルの開始ＯＦＤＭシンボルが同一ミニスロット（すなわち、ミニスロット＃１）内のＯＦＤＭシンボルインデックス＃１であることを指示することができる。ミニスロット＃４でＤＣＩはデータチャネルの開始ＯＦＤＭシンボルが同一ミニスロット（すなわち、ミニスロット＃４）内のＯＦＤＭシンボルインデックス＃０であることを指示することができる。この場合にミニスロット＃４でデータチャネルは制御資源集合に対してレートマッチングされ得る。ミニスロット＃６でＤＣＩはデータチャネルの開始ＯＦＤＭシンボルが同一ミニスロット（すなわち、ミニスロット＃６）内のＯＦＤＭシンボルインデックス＃０であることを指示することができる。この場合に、ミニスロット＃６でデータチャネルはＤＣＩに対してレートマッチングされ得る。
【０１９６】
一方、ミニスロット基盤のデータチャネルスケジューリングの２番目の方法において、ミニスロットの明示的な定義や設定なしに、ＰＤＣＣＨモニタリング周期の設定とデータチャネルの時間軸資源の割当がシンボル単位で行われることによって、明示的なスロットによる方法と同等（ｅｑｕｉｖａｌｅｎｔ）であるか類似する効果が提供され得る。
【０１９７】
図１７は、データチャネルのスケジューリング方法の第４実施例を図示した概念図である。
【０１９８】
図１７を参照すると、一つのスロットは１４個のＯＦＤＭシンボルを含むことができ、ミニスロットの設定情報は端末に明示的にシグナリングされないことがある。その代わり、基地局は端末が奇数番目のＯＦＤＭシンボル（例えば、ＯＦＤＭシンボル＃０、＃２、＃４、＃６、＃８、＃１０および＃１２）で制御資源集合または探索空間をモニタリングするように設定することができる。この場合、方法９００−２によって、基地局はＤＣＩが伝送されるＯＦＤＭシンボルのうち一つのＯＦＤＭシンボル（例えば、最初のＯＦＤＭシンボルまたは最後のＯＦＤＭシンボル）とデータチャネルの開始ＯＦＤＭシンボル間のオフセットを、データチャネルをスケジューリングするＤＣＩを通じて端末に伝送することができる。データチャネルが図１６の第３実施例と同じＯＦＤＭシンボル位置に割り当てられる場合、シンボルオフセットは０または１であり得る。シンボルオフセットの候補値は規格にあらかじめ定義されるか、上位階層シグナリング手続きによって端末に設定され得る。
【０１９９】
例えば、方法９００−２によって、ＤＣＩが伝送されるＯＦＤＭシンボルの最初のＯＦＤＭシンボルを基準としてシンボルオフセットが定義され、ＤＣＩによって指示されるシンボルオフセットが０である場合、端末はＤＣＩが伝送されるＯＦＤＭシンボルのうち最初のＯＦＤＭシンボルからデータチャネルが開始されると判断することができる。例えば、ＯＦＤＭシンボル＃６を通じて伝送されるＤＣＩはシンボルオフセット０を含むことができ、データチャネルがＯＦＤＭシンボル＃６から開始されることを端末に通知することができる。また、ＯＦＤＭシンボル＃１０を通じて伝送されるＤＣＩはシンボルオフセット０を含むことができ、データチャネルがＯＦＤＭシンボル＃１０から開始されることを端末に通知することができる。他の例を挙げると、方法９００−２によって、ＤＣＩが伝送されるＯＦＤＭシンボルの最初のＯＦＤＭシンボルを基準としてシンボルオフセットが定義され、ＤＣＩによって指示されるシンボルオフセットが１である場合、端末はＤＣＩが伝送されるＯＦＤＭシンボルのうち最初のＯＦＤＭシンボルの次にＯＦＤＭシンボルからデータチャネルが開始されると判断することができる。例えば、ＯＦＤＭシンボル＃２を通じて伝送されるＤＣＩはシンボルオフセット１を含むことができ、データチャネルがＯＦＤＭシンボル＃３から開始されることを端末に通知することができる。
【０２００】
それに対し、明示的なミニスロット構造がない場合、方法９００−１の使用は端末のＰＤＣＣＨモニタリング周期がスロットの長さより短い場合に好ましくない。例えば、図１７を参照して説明されたミニスロット基盤スケジューリングが方法９００−１に基づいて実行される場合、シンボル＃２、＃６、および＃１０のＤＣＩはそれぞれＰＤＳＣＨの開始シンボル＃３、＃６、および＃１０を指示する情報を含むことができる。これは、０または１のうち一つを指示する方法９００−２に比べてより多くのＤＣＩ情報量を要求し得る。
【０２０１】
一方、多重ビームシナリオにおいて、基地局の送信ビームと端末の受信ビームの結合によって形成されるリンク（例えば、ビームペアリンク（ｂｅａｍ  ｐａｉｒ  ｌｉｎｋ、ＢＰＬ））の遮断（ｂｌｏｃｋａｇｅ）に備えるために、基地局は一つのデータチャネル（例えば、ＰＤＳＣＨ）をスケジューリングするためのＤＣＩを複数の制御チャネル（例えば、ＰＤＣＣＨ）を使用して端末に何度も伝送することができる。この場合、複数の制御チャネルのそれぞれで資源構成（例えば、ＣＣＥ集成レベル）、チャネルコーディングレート、受信ビーム（例えば、空間上の受信パラメーター（ｓｐａｔｉａｌ  Ｒｘ  ｐａｒａｍｅｔｅｒ）に対するＱＣＬ（ｑｕａｓｉ−ｃｏ−ｌｏｃａｔｉｏｎ）設定）等は互いに異なり得る。ＨＡＲＱ（ｈｙｂｒｉｄ  ａｕｔｏｍａｔｉｃ  ｒｅｐｅａｔ  ｒｅｑｕｅｓｔ）プロセス管理を単純化するために、複数の制御チャネルは同じスロット内で伝送され得る。端末の受信ＲＦチェーンの個数が少ない場合、複数の制御チャネルは同じスロット内の互いに異なるＯＦＤＭシンボルを通じて伝送され得る。
【０２０２】
図１８は、多重ビームシナリオでスケジューリング方法の第１実施例を図示した概念図である。
【０２０３】
図１８を参照すると、複数のＰＤＣＣＨは第１ＰＤＣＣＨおよび第２ＰＤＣＣＨを含むことができ、第１ＰＤＣＣＨはＯＦＤＭシンボル＃０に位置する第１制御資源集合または第１ＲＥＧプール内に形成される第１探索空間を介して伝送され得、第２ＰＤＣＣＨはＯＦＤＭシンボル＃１に位置する第２制御資源集合または第２ＲＥＧプール内に形成される第２探索空間を介して伝送され得る。端末は第１ＰＤＣＣＨおよび第２ＰＤＣＣＨを通じて同じデータチャネル（例えば、ＰＤＳＣＨ）に対するスケジューリング情報を受信することができる。方法９００−１によってＤＣＩがデータチャネル（例えば、ＰＤＳＣＨ）の開始ＯＦＤＭシンボルのスロット内でのインデックスを指示する情報を含む場合、第１ＰＤＣＣＨを通じて伝送されるＤＣＩおよび第２ＰＤＣＣＨを通じて伝送されるＤＣＩによってＯＦＤＭシンボルインデックス＃２がデータチャネルの開始ＯＦＤＭシンボルとして指示され得る。この場合、第１ＰＤＣＣＨを通じて伝送されるＤＣＩのペイロードはおよび第２ＰＤＣＣＨを通じて伝送されるＤＣＩのペイロードと同じであり得る。端末は第１ＰＤＣＣＨを通じて伝送されるＤＣＩと第２ＰＤＣＣＨを通じて伝送されるＤＣＩを結合して受信することによって、ＰＤＣＣＨ受信性能を向上させることができる。それに対し、方法９００−２によってＤＣＩがＤＣＩが伝送されるＯＦＤＭシンボルの中の一つのＯＦＤＭシンボル（例えば、最初のＯＦＤＭシンボルインデックス）とデータチャネルの開始ＯＦＤＭシンボル間のオフセット（すなわち、シンボルオフセット）を含む場合、第１ＰＤＣＣＨを通じて伝送されるＤＣＩによって指示されるシンボルオフセットは２であり得、第２ＰＤＣＣＨを通じて伝送されるＤＣＩによって指示されるシンボルオフセットは１であり得る。すなわち、第１ＰＤＣＣＨおよび第２ＰＤＣＣＨのそれぞれによって指示されるシンボルオフセットは異なり得る。この場合、第１ＰＤＣＣＨを通じて伝送されるＤＣＩのペイロードは第２ＰＤＣＣＨを通じて伝送されるＤＣＩのペイロードと異なり得る。端末は第１ＰＤＣＣＨを通じて伝送されるＤＣＩと第２ＰＤＣＣＨを通じて伝送されるＤＣＩを結合して受信し難いこともある。
【０２０４】
一方、データチャネルの開始ＯＦＤＭシンボルの候補が上位階層シグナリングによって設定され、開始ＯＦＤＭシンボルの候補のうち一つがＤＣＩによって指示される場合、ＤＣＩはデータチャネルの開始ＯＦＤＭシンボルを指示するフィールド（以下、「シンボル指示フィールド」とする）を含むことができる。シンボル指示フィールドはデータチャネルの開始ＯＦＤＭシンボル情報のみを含んでもよく、データチャネルの開始ＯＦＤＭシンボル情報以外に他の情報をさらに含んでもよい。例えば、シンボル指示フィールドはＤＣＩが伝送されるスロットとデータチャネルが伝送されるスロット間のオフセット、データチャネルの時間区間の長さ（例えば、ＯＦＤＭシンボルの数）、データチャネルの復号のためのＤＭＲＳの時間軸位置情報などをさらに含むことができる。
【０２０５】
シンボル指示フィールドの大きさ（例えば、ビット数）は上位階層シグナリングによって端末に設定されるか、上位階層シグナリングによって設定されるデータチャネルの開始ＯＦＤＭシンボルの候補の数によって定められ得る。例えば、データチャネルの開始ＯＦＤＭシンボルの候補の数がＰ個である場合、シンボル指示フィールドのビット数はｃｅｉｌ（ｌｏｇ２（Ｐ））と定められ得る。ここで、ｃｅｉｌ（ｘ）はｘより大きいか同じ整数のうち最小値を出力する関数である。シンボル指示フィールドがデータチャネルの開始ＯＦＤＭシンボル情報以外に他の情報をさらに含む場合、データチャネルの開始ＯＦＤＭシンボルの候補および他の情報の候補の組み合わせが上位階層シグナリングによって端末に設定され得、この場合、シンボル指示フィールドの大きさは上位階層シグナリングによって設定されるデータチャネルの開始ＯＦＤＭシンボルの候補および他の情報の候補の組み合わせ個数によって定められ得る。例えば、前記組み合わせの数がＳ個である場合、シンボル指示フィールドのビット数はｃｅｉｌ（ｌｏｇ２（Ｓ））と定められ得る。シンボル指示フィールドがデータチャネルの開始ＯＦＤＭシンボル情報とデータチャネルの時間区間の長さ情報を少なくとも含み、データチャネルの開始ＯＦＤＭシンボルの候補とデータチャネルの時間区間の長さの候補が上位階層シグナリングを通じて端末に設定される場合、多様な候補の組み合わせを最小限のシグナリングオーバーヘッドを通じて設定するために、データチャネルの開始ＯＦＤＭシンボルの候補はデータチャネルの時間区間の長さの候補とともに（ｊｏｉｎｔｌｙ）エンコードされ得る。例えば、データチャネルの開始ＯＦＤＭシンボルの候補とデータチャネルの時間区間の長さの候補は特定の規則によって一つの指示子値（ｉｎｄｉｃａｔｏｒ  ｖａｌｕｅ）に一対一に対応し、前記指示子値が上位階層シグナリングによって端末に設定され得る。またはシンボル指示フィールドの大きさは固定値で規格にあらかじめ定義され得る。
【０２０６】
前述した方法９００−１および方法９００−２のそれぞれは、互いに異なるシナリオに適合し得る。方法９００−１および方法９００−２のうち一つの方法がシグナリング手続きを通じて端末に設定され得、シグナリング手続きにより設定された方法によってデータチャネルの開始ＯＦＤＭシンボルが端末に動的に指示され得る。ここで、シグナリング手続きは物理階層シグナリング手続き（例えば、ＤＣＩ伝送手続き）、ＭＡＣシグナリング手続き、ＲＲＣシグナリング手続きなどを含むことができる。シグナリング手続きは明示的または暗示的に実行され得る。
【０２０７】
シグナリング手続きが明示的に実行される場合、端末は方法９００−１および方法９００−２のうちいずれか一つのみを使用するように設定を受けることができる。または端末に方法９００−１および方法９００−２が共に設定され得る。例えば、端末はキャリア別または帯域幅部分別に方法９００−１および方法９００−２のうち一つの方法の設定を受けることができる。または端末は制御資源集合別または探索空間別に方法９００−１および方法９００−２のうち一つの方法の設定を受けることができる。
【０２０８】
シグナリング手続きが暗示的に実行される場合、データチャネルの復号のためのＤＭＲＳの時間軸位置情報の設定によって方法９００−１および方法９００−２のうち一つが設定され得る。例えば、端末はデータチャネルの復号のためのＤＭＲＳがマッピングされる最初のＯＦＤＭシンボルがスロットの特定のＯＦＤＭシンボル（例えば、３番目または４番目のＯＦＤＭシンボル）で設定される場合、方法９００−１が使用されることを仮定し、データチャネルの復号のためのＤＭＲＳがマッピングされる最初のＯＦＤＭシンボルがデータチャネルの特定のＯＦＤＭシンボル（例えば、開始ＯＦＤＭシンボル）で設定される場合、方法９００−２が使用されることを仮定することができる。
【０２０９】
またはシグナリング手続きが暗示的に実行される場合、制御資源集合または探索空間のモニタリング区間設定によって方法９００−１および方法９００−２のうち一つが設定され得る。例えば、端末は制御資源集合または探索空間のモニタリング周期がスロット単位（例えば、１個の以上のスロット）として設定されるケースに該当制御資源集合または探索空間を介してスケジューリングされるデータチャネルに方法９００−１が使用されることを仮定し、制御資源集合または探索空間のモニタリング周期がシンボル単位（例えば、１個のスロット未満）として設定されるケースに該当制御資源集合または探索空間を介してスケジューリングされるデータチャネルに方法９００−２が使用されることを仮定することができる。
【０２１０】
一方、基地局は端末のために少なくとも一つの帯域幅部分を設定することができ、設定された少なくとも一つの帯域幅部分の情報をシグナリング手続きを通じて端末に通知することができる。帯域幅部分は連続したＰＲＢの集合であり得、帯域幅部分内の少なくとも一つのＰＲＢはデータチャネル（例えば、ＰＤＳＣＨ、ＰＵＳＣＨ）として使用され得る。端末はダウンリンク帯域幅部分とアップリンク帯域幅部分の設定をそれぞれ受けることができる。端末によって支援される応用サービスにより互いに異なる帯域幅部分が設定され得る。例えば、第１帯域幅部分はｅＭＢＢサービスのために設定され得、第２帯域幅部分はＵＲＬＬＣサービスのために設定され得る。この場合、端末は第１帯域幅部分を通じてｅＭＢＢサービス関連信号を伝送することができ、第２帯域幅部分を通じてＵＲＬＬＣサービス関連信号を伝送することができる。
【０２１１】
同一端末または異種端末のために設定された複数の帯域幅部分は互いに重なり得る。端末のために複数の帯域幅部分が設定される場合、方法９００−１および方法９００−２のための上位階層シグナリング手続きは帯域幅部分別に実行され得る。例えば、第１帯域幅部分内でスロット基盤のデータチャネルスケジューリングのために多数のデータチャネルの開始ＯＦＤＭシンボルの候補が設定され得、第２帯域幅部分内でミニスロット基盤のデータチャネルスケジューリングのために少ない数のデータチャネルの開始ＯＦＤＭシンボルの候補が設定され得る。
【０２１２】
ＤＣＩのシンボル指示フィールドの大きさは該当ＤＣＩが伝送される帯域幅部分ごとに異なり得る。前述した実施例の場合、第１帯域幅部分のＤＣＩシンボル指示フィールドの大きさは第２帯域幅部分のＤＣＩシンボル指示フィールドの大きさより大きくてもよい。上位階層シグナリング手続きは制御資源集合または探索空間別に設定され得る。端末のために複数の探索空間が設定される場合、端末は複数の探索空間のそれぞれで上位階層シグナリング手続きを通じてデータチャネルの開始ＯＦＤＭシンボルの候補集合の設定を受けることができる。
【０２１３】
前述した方法９００−１および方法９００−２はダウンリンクデータチャネル（例えば、ＰＤＳＣＨ）のスケジューリングだけでなく、アップリンクデータチャネル（例えば、ＰＵＳＣＨ）のスケジューリングのために使用され得る。例えば、方法９００−１および方法９００−２のそれぞれが適用されたダウンリンク伝送手続きでシグナリング方法は、アップリンク伝送手続きに適用され得る。ここで、アップリンクスケジューリング情報を含むＤＣＩが使用され得る。
【０２１４】
・ゼロパワー制御資源集合
【０２１５】
基地局はゼロパワー制御資源集合またはゼロパワーＲＥＧプール（以下、「ゼロパワー制御資源集合」と通称する）を設定することができ、設定されたゼロパワー制御資源集合の情報をシグナリング手続きを通じて端末に通知することができる。ゼロパワー制御資源集合は探索空間が定義または設定されていない制御資源集合を指示することができる。端末はゼロパワー制御資源集合内で自らのためのＰＤＣＣＨが伝送されることを期待しないことがある。したがって、端末はゼロパワー制御資源集合内でＰＤＣＣＨモニタリングを遂行しないことがある。
【０２１６】
制御資源集合が端末特定的に設定される場合、複数の端末それぞれのために設定される制御資源集合は独立した資源領域を占有することができる。この場合、他の端末の制御資源集合の伝送を保護するためにゼロパワー制御資源集合が設定され得る。端末はスケジューリングを受けたデータチャネル（例えば、ＰＤＳＣＨ）の資源領域が端末に設定されたゼロパワー制御資源集合の少なくとも一部を含む場合、データチャネルをゼロパワー制御資源集合にレートマッチングすることによって、該当データチャネルを受信することができる。すなわち、端末はゼロパワー制御資源集合を除いた残りの資源領域を通じてデータチャネルが伝送されると判断することができる。また、ゼロパワー制御資源集合がデータチャネルのレートマッチングのために使用される場合、端末はゼロパワー制御資源集合でＤＣＩをモニタリングするように設定を受けることができる。または端末はＤＣＩモニタリングのために設定を受けた制御資源集合をゼロパワー制御資源集合として設定を受けることができる。端末は前記ゼロパワー制御資源集合として設定された制御資源集合でＤＣＩをモニタリングすることができ、前記ゼロパワー制御資源集合に対してデータチャネル（例えば、ＰＤＳＣＨ）をレートマッチングすることができる。この場合、基地局は端末にシグナリング手続き（例えば、ＲＲＣシグナリング）を通じてゼロパワー制御資源集合として設定される制御資源集合のＩＤを通知することができる。制御資源集合のＩＤは制御資源集合の設定情報に含まれ、端末は基地局から制御資源集合の設定を受ける時にＩＤの設定を共に受けることができる。制御資源集合を設定するためのシグナリング手続きとゼロパワー制御資源集合を設定するためのシグナリング手続きは分離され得る。制御資源集合が複数のＲＥＧプールを含む場合、データチャネルのレートマッチングのために、ＲＥＧプール別にゼロパワーＲＥＧプールが設定され得る。基地局は端末にシグナリング手続き（例えば、ＲＲＣシグナリング）を通じてゼロパワーＲＥＧプールとして設定されるＲＥＧプールのＩＤおよび／または該当ＲＥＧプールが属した制御資源集合のＩＤを通知することができる。
【０２１７】
・探索空間スイッチング
【０２１８】
複数の制御資源集合または制御資源集合内に形成される探索空間（以下、「探索空間」と通称する）が一つの端末のために設定された場合、該当端末によってモニタリングされる探索空間は動的にスイッチングされ得る（以下、「方法１０００」とする）。例えば、基地局は端末に複数の探索空間を互いに異なる周波数領域に設定し、端末がモニタリングする探索空間を動的にスイッチングすることによって、制御チャネルの伝送に対して周波数ダイバーシティ利得またはスケジューリング利得を得ることができる。
【０２１９】
端末によってモニタリングされる探索空間は明示的にまたは暗示的に端末に設定されるか指示され得る。明示的探索空間の設定方法で、基地局は現在のスロットのＤＣＩを使用して現在のスロット以後のスロット（または現在のスロットと連続したスロット）での探索空間を端末に通知することができる（以下、「方法１０００−１」とする）。暗示的探索空間の設定方法で、端末は以前のスロットでデータチャネルが割り当てられた周波数領域と最も隣接した周波数領域に設定された探索空間をモニタリングすることができる（以下、「方法１０００−２」とする）。方法１０００−２はスケジューリングされたデータチャネルの伝送品質が良好な場合に適用され得る。
【０２２０】
暗示的探索空間の設定方法の他の実施例で、基地局は端末のための複数の帯域幅部分を設定し、制御資源集合（または探索空間）を帯域幅部分別に設定することができる。端末は活性化した（ａｃｔｉｖｅ）帯域幅部分に設定された探索空間をモニタリングすることができる。この場合、基地局は端末に活性化した帯域幅部分をスイッチングすることを端末に動的に指示することによって、端末がモニタリングする探索空間を暗示的な方法によって動的にスイッチングすることができる。
【０２２１】
例えば、基地局は端末に第１帯域幅部分および第２帯域幅部分を設定することができ、第１帯域幅部分および第２帯域幅部分にそれぞれ第１探索空間および第２探索空間を設定することができる。端末の第１帯域幅部分が活性化している場合、端末は第１帯域幅部分と論理的に結合している第１探索空間をモニタリングすることができる。この時、基地局は端末に第１帯域幅部分を非活性化して第２帯域幅部分を活性化すること（すなわち、活性化した帯域幅部分をスイッチングすること）を動的に指示することができる。前記指示によって端末は第２帯域幅部分と論理的に結合している第２探索空間をモニタリング（すなわち、モニタリングする探索空間をスイッチング）することができる。
【０２２２】
例えば、基地局は現在のスロットのＤＣＩを使用して現在のスロットの以後のスロット（または現在のスロットと連続したスロット）で活性化する帯域幅部分を端末に通知することができ、端末は該当帯域幅部分と対応する探索空間で探索空間を動的にスイッチングすることができる。ミニスロット基盤（すなわち、シンボルレベル）の探索空間モニタリングが考慮される場合、探索空間の動的スイッチングは一つのスロット内でも適用され得る。
【０２２３】
方法１０００−１または方法１０００−２によって基地局が端末にＤＣＩを通じて探索空間をスイッチングすることを指示したものの、端末が該当ＤＣＩを獲得していない場合、端末は誤った探索空間をモニタリングすることができる。このような問題を解消するために、端末は探索空間のスイッチング指示と関係なく特定の時間資源（例えば、特定のスロット）で特定の探索空間をモニタリングするフォールバック（ｆａｌｌｂａｃｋ）動作を支援することができる。例えば、端末はあらかじめ設定された周期および時間資源ごとにあらかじめ設定された探索空間をモニタリングすることによってＤＣＩを受信することができる。あらかじめ設定された探索空間は特定の帯域幅部分（例えば、デフォルト帯域幅部分）と対応する探索空間であり得る。
【０２２４】
・２段階ＤＣＩ伝送方法
【０２２５】
ＤＣＩは複数の段階を通じて端末に伝送され得る。例えば、ダウンリンクスケジューリング情報またはアップリンクスケジューリング情報を含む端末−特定のＤＣＩは、二段階を通じて端末に伝送され得る。最初の段階を通じて伝送されるＤＣＩは、「第１ＤＣＩ」と指称され得、２番目の段階を通じて伝送されるＤＣＩは、「第２ＤＣＩ」と指称され得る。
【０２２６】
例えば、第１ＤＣＩはデータチャネル（例えば、ＰＤＳＣＨ）の資源設定情報を含むことができ、第２ＤＣＩはデータチャネルの伝送関連情報（例えば、ＭＣＳ（ｍｏｄｕｌａｔｉｏｎ  ａｎｄ  ｃｏｄｉｎｇ  ｓｃｈｅｍｅ）、ＲＶ（ｒｅｄｕｎｄａｎｃｙ  ｖｅｒｓｉｏｎ））等を含むことができる。第１ＤＣＩは制御資源集合内の制御チャネル（例えば、ＰＤＣＣＨ）を通じて伝送され得、第２ＤＣＩは第１ＤＣＩによってスケジューリングされるデータチャネルの資源領域の一部を通じて伝送され得る。この場合、データチャネルは第２ＤＣＩが伝送される資源領域（例えば、ＰＤＣＣＨ）にレートマッチングされ得る。または第２ＤＣＩが伝送される一部の資源領域は制御資源集合に属し得る。
【０２２７】
前述した２段階ＤＣＩ伝送方法によると、一部の制御情報はデータチャネルでオフローディング（ｏｆｆｌｏａｄｉｎｇ）され得る。第２ＤＣＩとデータチャネルはＤＭＲＳを共有することができる。この場合、端末はデータチャネルのためのＤＭＲＳを使用して第２ＤＣＩを復号することができる。ここで、第２ＤＣＩ、データチャネルおよびＤＭＲＳに同じプレコーディング（例えば、ビームフォーミング）が適用され得る。または第２ＤＣＩおよびデータチャネルに同じ受信ビーム（例えば、空間上の受信パラメーターに関するＱＣＬ）が設定され得る。
【０２２８】
図１９はビームフォーミング伝送方法の第１実施例を図示した概念図、図２０はビームフォーミング伝送方法の第２実施例を図示した概念図である。
【０２２９】
図１９および図２０を参照すると、制御チャネル（例えば、ＰＤＣＣＨ）は高い伝送信頼性のために相対的に広いビームを通じて伝送され得、データチャネル（例えば、ＰＤＳＣＨ）はリンク品質の向上のために相対的に狭いビームを通じて伝送され得る。２段階ＤＣＩ伝送方法が使用される場合、第１ＤＣＩは相対的に広いビームを通じて伝送され得、第２ＤＣＩはデータチャネルと同じビーム（例えば、相対的に狭いビーム）を通じて伝送され得る。
【０２３０】
データチャネルのスケジューリング情報が第１ＤＣＩおよび第２ＤＣＩを通じて伝送され、第１ＤＣＩがデータチャネルより広いビームを通じて伝送され、第２ＤＣＩがデータチャネルと同じビームを通じて伝送される場合、データチャネルの受信失敗を指示するＮＡＣＫ（ｎｅｇａｔｉｖｅ  ａｃｋｎｏｗｌｅｄｇｅｍｅｎｔ）は、第１ＮＡＣＫおよび第２ＮＡＣＫに分類され得る。第１ＮＡＣＫは第２ＤＣＩおよびデータチャネルの受信失敗を指示することができる。第１ＮＡＣＫの報告は第２ＤＣＩに対するＤＴＸ（ｄｉｓｃｏｎｔｉｎｕｏｕｓ  ｔｒａｎｓｍｉｓｓｉｏｎ）報告として解釈され得る。第２ＮＡＣＫは第２ＤＣＩの受信成功およびデータチャネルの受信失敗を指示することができる。データチャネルが複数の伝送ブロックを含む場合、端末は複数の伝送ブロックのそれぞれの第１ＮＡＣＫまたは第２ＮＡＣＫを伝送することができる。データチャネルが複数のＣＢＧ（ｃｏｄｅ  ｂｌｏｃｋ  ｇｒｏｕｐ）を含む場合、端末は複数のＣＢＧのそれぞれの第１ＮＡＣＫまたは第２ＮＡＣＫを伝送することができる。
【０２３１】
第１ＤＣＩが成功裏に受信された場合、端末は第１ＤＣＩの受信時点を基準としてあらかじめ設定された時点で第１ＮＡＣＫまたは第２ＮＡＣＫを基地局に伝送することができる。例えば、第１ＤＣＩがスロット＃ｎで受信された場合、端末はスロット＃（ｎ＋Ｋ）を通じてＡＣＫ、第１ＮＡＣＫまたは第２ＮＡＣＫを基地局に伝送することができる。ＡＣＫはデータチャネルの受信成功を指示することができる。ｎは０以上の整数であり得、Ｋは１以上の整数であり得る。
【０２３２】
第１ＤＣＩの受信が失敗した場合にも、端末は第２ＤＣＩおよびＰＤＳＣＨが伝送されることが分かっている場合に、第１ＮＡＣＫまたは第２ＮＡＣＫを基地局に伝送することができる。例えば、スロット＃ｎで第１ＤＣＩが受信されていない場合にも、端末はスロット＃ｎ以後のスロットを通じて受信されたＤＣＩによって指示される特定の情報（例えば、ＤＡＩ（ｄｏｗｎｌｉｎｋ  ａｓｓｏｃｉａｔｉｏｎ  ｉｎｄｅｘ））に基づいてスロット＃ｎで第１ＤＣＩが伝送されたと判断することができる。
【０２３３】
一方、制御チャネルが広いビームを通じて伝送され、第２ＤＣＩおよびデータチャネルが狭いビームを通じて伝送される場合、第１ＮＡＣＫの発生可能性は第２ＤＣＩおよびデータチャネルに不適切なビームフォーミングが適用された場合に高くなり得、第２ＮＡＣＫの発生可能性は第２ＤＣＩおよびデータチャネルに適切なビームフォーミングが適用されたがチャネル品質が低い場合に高くなり得る。ここで、第２ＤＣＩの平均受信エラー率（例えば、１％）はデータチャネルの平均受信エラー率（例えば、１０％）より低くてもよい。
【０２３４】
基地局は端末から第１ＮＡＣＫまたは第２ＮＡＣＫを受信することができ、第１ＮＡＣＫまたは第２ＮＡＣＫに基づいてビームを管理することができる。端末から第１ＮＡＣＫが受信された場合、基地局はデータチャネルに対するビームが有効でないものと判断することができ、データチャネルに対するビームをスイッチングするための手続きを遂行できる。例えば、基地局は第１ＮＡＣＫの受信時点から早期にビーム測定のための参照信号を端末に伝送することができ、参照信号に基づいて測定されたビーム測定情報を端末から受信することができ、ビーム測定情報に基づいてビームスイッチング動作を遂行することを端末に指示することができる。端末から第２ＮＡＣＫが受信された場合、基地局はデータチャネルに対するビームが有効であるものと判断することができ、ビーム管理手続きの代わりにリンク適応手続き（例えば、ＭＣＳ調節、データチャネルの周波数帯域変更など）を遂行できる。
【０２３５】
第１ＮＡＣＫおよび第２ＮＡＣＫが使用される場合、伝送ブロック（またはコードブロック（ｃｏｄｅ  ｂｌｏｃｋ）、コードブロックグループ）別ＨＡＲＱ応答は２ビットで構成され得る。例えば、ＡＣＫは、「００」に設定され得、第１ＮＡＣＫは、「０１」に設定され得、第２ＮＡＣＫは、「１０」に設定され得る。ここで、「１１」は他の情報を指示することができるか、予備フィールド（ｒｅｓｅｒｖｅｄ  ｆｉｅｌｄ）として設定され得る。例えば、予備フィールドは第２ＤＣＩまたはデータチャネルの伝送のために使用されたビームの復旧／変更を要請するトリガー（ｔｒｉｇｇｅｒ）情報として設定され得る。または予備フィールドは第１ＤＣＩの受信失敗を指示するＤＴＸ情報として設定され得る。または予備フィールドは第３ＮＡＣＫとして使用され得る。第３ＮＡＣＫは第２ＤＣＩの受信失敗およびデータチャネルの受信成功を指示することができる。
【０２３６】
１ビットで構成されたＨＡＲＱ応答はＡＣＫまたはＮＡＣＫに分類され得、ＮＡＣＫは第１ＮＡＣＫまたは第２ＮＡＣＫを指示することができる。ＨＡＲＱ応答によって指示されていないＮＡＣＫ（例えば、第１ＮＡＣＫまたは第２ＮＡＣＫ）は、別途のパラメーター（例えば、データチャネルに対するビームの有効性を指示するパラメーター）で構成され得る。別途のパラメーターはＨＡＲＱ応答と共に基地局に伝送され得る。または別途のパラメーターはシグナリング手続きを通じて伝送され得る。この場合、別途のパラメーターの伝送時点はＨＡＲＱ応答の伝送時点と異なり得る。
【０２３７】
第１ＮＡＣＫおよび第２ＮＡＣＫの使用の有無は、上位階層シグナリング手続き（例えば、放送情報の伝送手続き、端末−特定ＲＲＣシグナリング手続きなど）を通じて制御資源集合または探索空間別に設定され得る。例えば、第１ＮＡＣＫおよび第２ＮＡＣＫの使用の有無は端末−特定の探索空間に対して設定され得る。第１ＮＡＣＫおよび第２ＮＡＣＫの使用の有無が制御資源集合または探索空間別に半固定的に設定される場合、第１ＮＡＣＫまたは第２ＮＡＣＫは該当ＤＣＩのＨＡＲＱ応答として伝送され得る。または端末は制御資源集合または探索空間のうち基地局によって設定された制御資源集合または探索空間に対するＨＡＲＱ応答を伝送することができる。または基地局はＤＣＩを通じて第１ＮＡＣＫおよび第２ＮＡＣＫの使用の有無を指示する情報をＤＣＩを通じて端末に伝送することができる。
【０２３８】
一方、２段階ＤＣＩの伝送方法はアップリンクデータチャネル（例えば、ＰＵＳＣＨ）のスケジューリングのために使用され得る。例えば、アップリンクデータチャネルに対するＨＡＲＱ応答として第１ＮＡＣＫまたは第２ＮＡＣＫが伝送され得る。
【０２３９】
本発明に係る方法は多様なコンピュータ手段を通じて実行され得るプログラム命令形態で具現されて、コンピュータ読み込み可能媒体に記録され得る。コンピュータ読み込み可能媒体は、プログラム命令、データファイル、データ構造などを単独または組み合わせて含むことができる。コンピュータ読み込み可能媒体に記録されるプログラム命令は、本発明のために特に設計され構成されたものであるか、コンピュータソフトウェア当業者に公知にされて使用可能なものであってもよい。
【０２４０】
コンピュータ読み込み可能媒体の例には、ロム（ｒｏｍ）、ラム（ｒａｍ）、フラッシュメモリ（ｆｌａｓｈ  ｍｅｍｏｒｙ）等のように、プログラム命令を保存して遂行するように特別に構成されたハードウェア装置が含まれる。プログラム命令の例には、コンパイラ（ｃｏｍｐｉｌｅｒ）により作られるような機械語コードだけでなく、インタープリタ（ｉｎｔｅｒｐｒｅｔｅｒ）等を使用してコンピュータによって実行され得る高級な言語コードを含む。前述したハードウェア装置は本発明の動作を遂行するために、少なくとも一つのソフトウェアモジュールで作動するように構成され得、その逆も同じである。
【０２４１】
以上、実施例を参照して説明したが、該当技術分野の熟練の当業者は下記の特許請求の範囲に記載された本発明の思想および領域から逸脱しない範囲内で、本発明を多様に修正および変更できることが理解できるはずである。
【図１】
2019530997.tif 000004
【図２】
2019530997.tif 000005
【図３】
2019530997.tif 000006
【図４ａ】
2019530997.tif 000007
【図４ｂ】
2019530997.tif 000008
【図４ｃ】
2019530997.tif 000009
【図４ｄ】
2019530997.tif 000010
【図４ｅ】
2019530997.tif 000011
【図５】
2019530997.tif 000012
【図６】
2019530997.tif 000013
【図７】
2019530997.tif 000014
【図８】
2019530997.tif 000015
【図９ａ】
2019530997.tif 000016
【図９ｂ】
2019530997.tif 000017
【図９ｃ】
2019530997.tif 000018
【図１０ａ】
2019530997.tif 000019
【図１０ｂ】
2019530997.tif 000020
【図１０ｃ】
2019530997.tif 000021
【図１１ａ】
2019530997.tif 000022
【図１１ｂ】
2019530997.tif 000023
【図１１ｃ】
2019530997.tif 000024
【図１１ｄ】
2019530997.tif 000025
【図１２】
2019530997.tif 000026
【図１３ａ】
2019530997.tif 000027
【図１３ｂ】
2019530997.tif 000028
【図１４】
2019530997.tif 000029
【図１５】
2019530997.tif 000030
【図１６】
2019530997.tif 000031
【図１７】
2019530997.tif 000032
【図１８】
2019530997.tif 000033
【図１９】
2019530997.tif 000034
【図２０】
2019530997.tif 000035
【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
通信システムでＵＥ（ｕｓｅｒ  ｅｑｕｉｐｍｅｎｔ）の動作方法であって、
一つ以上の制御資源集合（ｃｏｎｔｒｏｌ  ｒｅｓｏｕｒｃｅ  ｓｅｔｓ）の設定情報（ｃｏｎｆｉｇｕｒａｔｉｏｎ  ｉｎｆｏｒｍａｔｉｏｎ）を基地局から受信する段階；
前記一つ以上の制御資源集合のうちレートマッチング（ｒａｔｅ  ｍａｔｃｈｉｎｇ）動作が適用される制御資源集合を指示するレートマッチング情報を前記基地局から受信する段階；
ＰＤＳＣＨ（ｐｈｙｓｉｃａｌ  ｄｏｗｎｌｉｎｋ  ｓｈａｒｅｄ  ｃｈａｎｎｅｌ）の資源割当情報を含むＤＣＩ（ｄｏｗｎｌｉｎｋ  ｃｏｎｔｒｏｌ  ｉｎｆｏｒｍａｔｉｏｎ）を前記基地局から受信する段階；および
前記レートマッチング情報に基づいて前記制御資源集合の周囲に前記レートマッチング動作を遂行することによって前記ＰＤＳＣＨを獲得する段階を含む、
ＵＥの動作方法。
【請求項２】
前記レートマッチング情報によって指示される前記制御資源集合は、前記ＤＣＩによって割り当てられる前記ＰＤＳＣＨの資源と重なる、
請求項１に記載のＵＥの動作方法。
【請求項３】
前記設定情報は前記一つ以上の制御資源集合のそれぞれの時間−周波数資源を指示する情報を含む、
請求項１に記載のＵＥの動作方法。
【請求項４】
前記ＵＥの動作方法は、
前記一つ以上の制御資源集合のそれぞれの開始シンボル（ｓｔａｒｔ  ｓｙｍｂｏｌ）を指示する情報を前記基地局から受信する段階をさらに含む、
請求項１に記載のＵＥの動作方法。
【請求項５】
前記設定情報は前記一つ以上の制御資源集合のＲＥＧｓ（ｒｅｓｏｕｒｃｅ  ｅｌｅｍｅｎｔ  ｇｒｏｕｐｓ）に対するインターリービング（ｉｎｔｅｒｌｅａｖｉｎｇ）情報を含む、
請求項１に記載のＵＥの動作方法。
【請求項６】
前記設定情報は前記一つ以上の制御資源集合のそれぞれの識別子（ｉｄｅｎｔｉｆｉｅｒ）を含む、
請求項１に記載のＵＥの動作方法。
【請求項７】
前記レートマッチング情報は前記レートマッチング動作が適用される前記制御資源集合の識別子を含む、
請求項１に記載のＵＥの動作方法。
【請求項８】
前記ＰＤＳＣＨは前記制御資源集合を通じて受信されない、請求項１に記載のＵＥの動作方法。
【請求項９】
前記ＰＤＳＣＨは前記ＤＣＩによって割り当てられる前記ＰＤＳＣＨの資源のうち前記レートマッチング情報によって指示される前記制御資源集合を除いた資源にマッピングされる、
請求項１に記載のＵＥの動作方法。
【請求項１０】
前記レートマッチング情報は上位階層シグナリング（ｈｉｇｈｅｒ  ｌａｙｅｒ  ｓｉｇｎａｌｉｎｇ）を通じて受信される、
請求項１に記載のＵＥの動作方法。
【請求項１１】
通信システムで基地局の動作方法であって、
一つ以上の制御資源集合（ｃｏｎｔｒｏｌ  ｒｅｓｏｕｒｃｅ  ｓｅｔｓ）の設定情報（ｃｏｎｆｉｇｕｒａｔｉｏｎ  ｉｎｆｏｒｍａｔｉｏｎ）をＵＥ（ｕｓｅｒ  ｅｑｕｉｐｍｅｎｔ）に伝送する段階；
前記一つ以上の制御資源集合のうちレートマッチング（ｒａｔｅ  ｍａｔｃｈｉｎｇ）動作が適用される制御資源集合を指示するレートマッチング情報を前記ＵＥに伝送する段階；
ＰＤＳＣＨ（ｐｈｙｓｉｃａｌ  ｄｏｗｎｌｉｎｋ  ｓｈａｒｅｄ  ｃｈａｎｎｅｌ）の資源割当情報を含むＤＣＩ（ｄｏｗｎｌｉｎｋ  ｃｏｎｔｒｏｌ  ｉｎｆｏｒｍａｔｉｏｎ）を前記ＵＥに伝送する段階；および
前記レートマッチング情報に基づいて前記制御資源集合の周囲に前記レートマッチング動作を遂行することによって前記ＰＤＳＣＨを前記ＵＥに伝送する段階を含む、
基地局の動作方法。
【請求項１２】
前記レートマッチング情報によって指示される前記制御資源集合は前記ＤＣＩによって割り当てられる前記ＰＤＳＣＨの資源と重なる、
請求項１１に記載の基地局の動作方法。
【請求項１３】
前記設定情報は前記一つ以上の制御資源集合のそれぞれの時間−周波数資源を指示する情報を含む、
請求項１１に記載の基地局の動作方法。
【請求項１４】
前記基地局の動作方法は、
前記一つ以上の制御資源集合のそれぞれの開始シンボル（ｓｔａｒｔ  ｓｙｍｂｏｌ）を指示する情報を前記ＵＥに伝送する段階をさらに含む、
請求項１１に記載の基地局の動作方法。
【請求項１５】
前記設定情報は前記一つ以上の制御資源集合のＲＥＧｓ（ｒｅｓｏｕｒｃｅ  ｅｌｅｍｅｎｔ  ｇｒｏｕｐｓ）に対するインターリービング（ｉｎｔｅｒｌｅａｖｉｎｇ）情報を含む、
請求項１１に記載の基地局の動作方法。
【請求項１６】
前記設定情報は前記一つ以上の制御資源集合のそれぞれの識別子（ｉｄｅｎｔｉｆｉｅｒ）を含む、
請求項１１に記載の基地局の動作方法。
【請求項１７】
前記レートマッチング情報は前記レートマッチング動作が適用される前記制御資源集合の識別子を含む、
請求項１１に記載の基地局の動作方法。
【請求項１８】
前記ＰＤＳＣＨは前記制御資源集合を通じて伝送されない、
請求項１１に記載の基地局の動作方法。
【請求項１９】
前記ＰＤＳＣＨは前記ＤＣＩによって割り当てられる前記ＰＤＳＣＨの資源のうち前記レートマッチング情報によって指示される前記制御資源集合を除いた資源にマッピングされる、
請求項１１に記載の基地局の動作方法。
【請求項２０】
前記レートマッチング情報は上位階層シグナリング（ｈｉｇｈｅｒ  ｌａｙｅｒ  ｓｉｇｎａｌｉｎｇ）を通じて伝送される、
請求項１１に記載の基地局の動作方法。
【国際調査報告】
2019530997.tif 000036
2019530997.tif 000037
2019530997.tif 000038
2019530997.tif 000039